(57)【要約】情報を施設来場者に配信するためのシステムは、施設内にあって、その中に記憶されるユニバーサルリソースロケータ（ＵＲＬ）を有する、無線タグと、ＵＲＬによってアドレス指定可能なウェブページを通して、情報を提供するためのサーバとを含む。ウェブページは、情報を無線タグとインターフェースをとる任意のポータブルメディアデバイスに表示する。施設において、施設の場所特有情報を来場者に配信するためのシステムは、情報と、ポータブルメディアデバイスと互換性がある、ダウンロード可能な機械可読命令とを含有する、施設アプリを含み、場所インジケータを有する無線タグが、施設内のタグの場所と関連付けられる。施設アプリが、ポータブルメディアデバイスによって実行され、場所インジケータを無線タグから受信する場合、施設アプリは、場所インジケータに基づいて、情報をポータブルメディアデバイス上に表示する。
2015502595.tif 000002
【特許請求の範囲】
【請求項１】
施設において、情報を来場者に配信するためのシステムであって、
前記施設内に位置する無線タグであって、前記無線タグは、その中に記憶されるユニバーサルリソースロケータ（ＵＲＬ）を有する、無線タグと、
前記ＵＲＬによってアドレス指定可能なウェブページを提供し、前記情報を含有するためのサーバと
を備え、
前記ウェブページは、前記無線タグとインターフェースをとる任意のポータブルメディアデバイスに前記情報を表示し、前記任意のポータブルメディアデバイスが、前記来場者によって使用される、システム。
【請求項２】
前記無線タグは、ＮＦＣタグである、請求項１に記載のシステム。
【請求項３】
前記無線タグは、前記施設内の可動性デバイスに取着される、請求項１に記載のシステム。
【請求項４】
前記可動性デバイスは、チェアリフトのイスである、請求項３に記載のシステム。
【請求項５】
前記無線タグは、前記チェアリフトに取着されたスキーエリアマップ表示と統合される、請求項４に記載のシステム。
【請求項６】
前記可動性デバイスは、ゴンドラの客室である、請求項３に記載のシステム。
【請求項７】
前記情報は、前記可動性デバイスの使用と関連付けられた安全性情報のオーディオ、ビデオ、グラフィック、およびテキスト提示のうちの１つ以上を含む、請求項３に記載のシステム。
【請求項８】
前記サーバは、宣伝広告を記憶している宣伝広告データベースと通信し、前記宣伝広告は、前記ウェブページ内に含まれ、前記ポータブルメディアデバイスにおいて、前記来場者に配信される、請求項１に記載のシステム。
【請求項９】
前記情報は、調査情報を含み、前記ウェブページは、前記ポータブルメディアデバイスを介して、前記調査情報を前記来場者に提供し、前記来場者の応答を前記サーバにアップロードする、請求項１に記載のシステム。
【請求項１０】
前記ＵＲＬによってアドレス指定可能な前記ウェブページは、宣伝広告を含む、請求項１に記載のシステム。
【請求項１１】
前記ウェブページは、前記ポータブルメディアデバイス上に記憶し、前記施設内で使用するためのクーポンを含む、請求項１に記載のシステム。
【請求項１２】
前記ウェブページは、競技会の告知と、（ａ）前記競技会の規約、および（ｂ）前記規約への合意を示す特徴へのリンクとを含有し、前記来場者が、前記規約への合意を示す特徴をアクティブ化する場合、前記ポータブルメディアデバイスは、前記競技会の情報を含有する競技会ウェブページにリダイレクトされる、請求項１に記載のシステム。
【請求項１３】
前記規約への前記来場者の合意に応じて、前記ウェブページは、前記ポータブルメディアデバイスから前記来場者の情報を読み出し、前記情報を第三者に伝送する、請求項１２に記載のシステム。
【請求項１４】
前記ウェブページは、調査の告知および調査ウェブページへのリンクを含有し、前記来場者が、前記リンクを辿る場合、前記ポータブルメディアデバイスは、前記調査ウェブページにリダイレクトされる、請求項１に記載のシステム。
【請求項１５】
前記ウェブページは、ソーシャルネットワーキングウェブページへの選択可能リンクを含有し、前記来場者のポータブルメディアデバイスは、前記ＵＲＬを前記無線タグから受信し、自動的に、前記ウェブページに接続し、前記選択可能リンクを表示し、前記来場者による前記選択可能リンクの選択に応じて、前記サーバは、前記選択可能リンクの情報を、前記ソーシャルネットワーキングウェブページを提供するソーシャルネットワーキングサーバに送信する、請求項１に記載のシステム。
【請求項１６】
前記選択可能リンクは、前記無線タグに近接して位置する宣伝広告に対する前記来場者の「いいね」を伝える、請求項１５に記載のシステム。
【請求項１７】
前記無線タグ内に、前記ソーシャルネットワーキングサーバによって定義される場所を識別する場所識別子をさらに備え、前記選択可能リンクは、前記場所における前記来場者の「チェックイン」を伝える、請求項１５に記載のシステム。
【請求項１８】
前記ウェブページは、写真を前記ポータブルメディアデバイスからアップロードするためのアップロードスクリプトを呼び出す、請求項１に記載のシステム。
【請求項１９】
施設において、施設の場所特有情報を来場者に配信するためのシステムであって、
前記情報を含有し、前記来場者のポータブルメディアデバイスと互換性があるダウンロード可能機械可読命令を備える施設アプリと、
前記施設内に位置し、前記施設内の前記タグの場所と関連付けられた場所インジケータを有する無線タグと
を備え、
前記施設アプリが、前記ポータブルメディアデバイスにダウンロードされ、実行され、前記場所インジケータを前記無線タグから受信する場合、前記施設アプリは、前記場所インジケータに基づいて、前記情報を前記ポータブルメディアデバイス上に表示する、システム。
【請求項２０】
前記無線タグ内に記憶されるユニバーサルリソースロケータ（ＵＲＬ）と、
前記ＵＲＬによってアドレス指定可能なウェブページを提供し、前記施設のアップデートされた情報を含有するために、インターネットに接続されるサーバと
をさらに備え、
前記サーバは、前記アップデートされた情報とともに、前記ウェブページを、前記無線タグとインターフェースをとる任意のポータブルメディアデバイスにダウンロードする、請求項１９に記載のシステム。
【請求項２１】
前記無線タグは、チェアリフトのイスおよびゴンドラの客室のうちの１つに取着される、請求項１９に記載のシステム。
【請求項２２】
施設において、情報を来場者に配信するための方法であって、
ウェブページを前記情報とともに構成することであって、前記ウェブページは、無線タグ内に記憶されるユニバーサルリソースロケータ（ＵＲＬ）によってアドレス指定可能である、ことと、
前記ポータブルメディアデバイスが、前記無線タグとインターフェースをとると、前記来場者のポータブルメディアデバイスから、前記ＵＲＬへのアクセス要求を受信することと、
前記ウェブページを前記ポータブルメディアデバイスに送信することによって、前記情報を前記来場者に配信することと
を含む、方法。
【請求項２３】
前記情報をサーバ上で起動するデータベースから読み出し、前記ウェブページを構成することをさらに含む、請求項２２に記載の方法。
【請求項２４】
利害関係者の連絡先情報を広告主に配信するための方法であって、
前記利害関係者によってアクセス可能な場所において、前記広告主の宣伝広告をユニバーサルリソースロケータ（ＵＲＬ）とともにプログラムされる無線タグとともに表示することと、
前記ＵＲＬによってアドレス指定可能なウェブページを前記連絡先情報を受信するためのスクリプトとともに構成することと、
前記無線タグとインターフェースをとるポータブルメディアデバイスから前記ＵＲＬへのアクセス要求を受信することと、
前記スクリプトを使用して、前記連絡先情報を前記ポータブルメディアデバイスから受信することと、
収益と引き換えに、前記連絡先情報を前記広告主に送信することと
を含む、方法。
【請求項２５】
付加的収益と引き換えに、前記無線タグを前記宣伝広告上に設置することをさらに含む、請求項２４に記載の方法。
【請求項２６】
前記スクリプトを、前記ポータブルメディアデバイスを介して、前記利害関係者と相互作用し、付加的情報を受信するように構成することをさらに含む、請求項２４に記載の方法。
【請求項２７】
施設において、施設の場所特有情報を来場者に配信するためのシステムであって、
前記来場者のポータブルメディアデバイスにダウンロードするために利用可能な前記場所特有情報を含有し、前記ポータブルメディアデバイスのプロセッサによって実行可能な機械可読命令を備える施設アプリと、
前記施設内のタグの場所と関連付けられた場所インジケータを有する無線タグと
を備え、
前記ポータブルメディアデバイスが、前記施設アプリをダウンロードおよび実行し、前記場所インジケータを前記タグから受信する場合、前記施設アプリは、前記場所インジケータに基づいて、前記ポータブルメディアデバイス上に前記場所特有情報を表示する、システム。
【請求項２８】
施設において、情報を来場者に配信するための方法であって、
無線タグ内に記憶されたユニバーサルリソースロケータ（ＵＲＬ）によってアドレス指定可能なウェブページを前記情報とともに構成することと、
前記ＵＲＬを前記タグから読み取ったポータブルメディアデバイスから前記ＵＲＬへのアクセス要求を受信することと、
前記来場者への配信のために、前記ウェブページを前記ポータブルメディアデバイスに送信することと
を含む、方法。
【請求項２９】
施設に、無線タグに基づく通信能力を提供するための方法であって、
複数の無線タグを前記施設に特有のデジタルコンテンツとともに構成することであって、前記無線タグはそれぞれ、前記デジタルコンテンツをポータブルメディアデバイスに伝送可能である、ことと、
前記無線タグを前記施設に取り付けることと、
を含む、方法。
【請求項３０】
構成することは、前記無線タグのそれぞれに、ユニバーサルリソースロケータ（ＵＲＬ）を提供することを含む、請求項２９に記載の方法。
【請求項３１】
前記無線タグのそれぞれに、ＵＲＬを提供することは、広告主からの宣伝広告コンテンツを含むウェブページのアドレスとして、前記ＵＲＬのうちの１つ以上を提供することを含む、請求項３０に記載の方法。
【請求項３２】
前記無線タグを前記施設に取り付けることは、前記無線タグのうちの１つ以上を前記広告主からの１つ以上の印刷宣伝広告とともに位置させることを含む、請求項３１に記載の方法。
【請求項３３】
構成することは、無線タグ製造業者または販売業者が、前記無線タグを構成するように手配することを含む、請求項２９に記載の方法。
【請求項３４】
取り付けることは、
前記無線タグのそれぞれを、座席、肘掛け、背もたれ、およびマップ表示のうちの１つである構成要素と統合することと、
前記構成要素を前記施設に取り付けることと
を含む、請求項２９に記載の方法。
【請求項３５】
前記複数の無線タグを構成することは、前記複数の無線タグのそれぞれを前記施設内の場所識別子に対応するデジタルコンテンツとともに構成することを含む、請求項２９に記載の方法。
【請求項３６】
前記複数の無線タグを構成することは、前記複数の無線タグのサブセットの各無線タグを同一の場所識別子とともに構成することを含む、請求項３５に記載の方法。
【請求項３７】
前記複数の無線タグを構成することは、前記複数の無線タグのサブセットの各無線タグを異なる場所識別子とともに構成することを含む、請求項３５に記載の方法。
【請求項３８】
各無線タグを構成することは、各無線タグを可動性デバイスの個々の搬台に特有の場所識別子とともに構成することを含む、請求項３７に記載の方法。
【請求項３９】
各無線タグを場所識別子とともに構成することは、各無線タグを個々のチェアリフトのイスに特有の場所識別子とともに構成することを含み、
取り付けることは、
各無線タグを、前記チェアリフトを含むスキーエリアの印刷マップを含むメディア表示システムと統合することと、
前記メディア表示システムを前記チェアリフトのイスの制止バー上に搭載することと
を含む、請求項３８に記載の方法。
【請求項４０】
取り付けられた無線タグを有する施設の来場者に情報サービスを提供するための方法であって、
サーバを、前記無線タグのうちの１つ以上の上に記憶されたデジタルコンテンツに対応する情報とともに構成することと、
前記デジタルコンテンツを前記無線タグのうちの１つから受信するポータブルメディアデバイスからの要求を受信することに応じて、前記情報を前記ポータブルメディアデバイスにダウンロードすることと
を含む、方法。
【請求項４１】
前記サーバを構成することは、前記情報をウェブページとして構成することを含む、請求項４０に記載の方法。
【請求項４２】
前記サーバを構成することは、前記情報をビデオ、オーディオ、テキスト、および画像のうちの１つ以上として構成することを含む、請求項４０に記載の方法。
【請求項４３】
前記サーバを構成することは、前記情報の少なくとも一部を前記施設の経営者から受信することを含む、請求項４０に記載の方法。
【請求項４４】
前記サーバを構成することは、前記情報を複数のユニバーサルリソースロケータ（ＵＲＬ）として構成することを含み、前記情報をダウンロードすることは、前記要求内に含有される場所識別子に対応する、前記ＵＲＬのうちの１つとともに応答することを含む、請求項４０に記載の方法。
【請求項４５】
１つ以上のポータブルメディアデバイスから受信された要求、前記ポータブルメディアデバイスにダウンロードされた情報、および前記ポータブルメディアデバイスからアップロードされた情報のうちの少なくとも１つを含む、利用情報を生成することをさらに含む、請求項４０に記載の方法。
【請求項４６】
収益と引き換えに、前記利用情報を広告主に転送することをさらに含む、請求項４５に記載の方法。
【請求項４７】
施設経営者が施設来場者の顧客経験を向上させるための方法であって、
前記施設の情報をメディアプロバイダに提供することと、
前記メディアプロバイダに、前記施設へのアクセスを許可し、前記施設内に、前記情報の物理的表示とともに、無線タグを取り付けることであって、前記無線タグは、前記来場者が、ポータブルメディアデバイスを通してアクセスし、さらなる情報を表示することができるデジタルコンテンツを記憶する、ことと
を含む、方法。
【請求項４８】
前記アクセスと引き換えに、前記メディアプロバイダから収益を徴収することをさらに含む、請求項４７に記載の方法。
【請求項４９】
前記メディアプロバイダにアクセスを許可することは、前記メディアプロバイダが、前記施設の情報を前記無線タグと統合するメディア表示システムを取り付けることを可能にすることを含む、請求項４７に記載の方法。
【請求項５０】
前記施設の情報を提供することは、前記施設のマップを提供することを含む、請求項４７に記載の方法。
【請求項５１】
前記メディアプロバイダに、前記施設へのアクセスを許可することは、前記メディアプロバイダが、前記施設のマップと前記無線タグを統合するメディア表示システムをチェアリフトのイス上に取り付けることを可能にすることを含む、請求項５０に記載の方法。
【請求項５２】
前記施設の情報を提供することは、前記無線タグの数を判定し、前記無線タグを構成する際に使用するために、前記施設における設備の数およびタイプに関する情報を提供することを含む、請求項４７に記載の方法。
【請求項５３】
さらなる情報として、前記来場者に提供されるように、前記施設のアップデートされた情報を前記メディアプロバイダに提供することをさらに含む、請求項４７に記載の方法。
【発明の詳細な説明】
【技術分野】
【０００１】
本出願は、２０１１年１０月２４日に出願された、「Ｎｅａｒ−Ｆｉｅｌｄ  Ｃｏｍｍｕｎｉｃａｔｉｏｎ  Ａｐｐｌｉｃａｔｉｏｎｓ  Ｆｏｒ  Ａ  Ｒｅｓｏｒｔ」という題名の米国特許出願第６１／５５０，７０５号に対して優先権を主張する。上記文献は、参照することによって本明細書において援用される。
【背景技術】
【０００２】
近距離無線通信（ＮＦＣ）タグは、極めて接近して（接触する程度から８インチまで）、無線リーダによって読取可能である。ＮＦＣタグは、ポータブルリーダと通信するための製品および表示内に組み込まれてもよい。ＮＦＣリーダは、ポータブル通信デバイス（例えば、ポータブルメディアデバイスおよび携帯電話）内に含まれることによって、より一般的場所およびより広範囲に使用されるようになる。Ｂｌｕｅｔｏｏｔｈ（登録商標）もまた、短距離無線通信をもたらし、多くのポータブルデバイス内に既に含まれている。
【発明の概要】
【課題を解決するための手段】
【０００３】
ある実施形態では、施設において、情報を来場者に配信するためのシステムは、施設内に位置し、その中に記憶されるユニバーサルリソースロケータ（ＵＲＬ）を有する、無線タグと、ＵＲＬによってアドレス指定可能なウェブページを提供し、情報を含有するためのサーバとを含む。ウェブページは、情報を無線タグとインターフェースをとる、来場者によって使用される任意のポータブルメディアデバイスに表示する。
【０００４】
ある実施形態では、施設において、施設の場所特有情報を来場者に配信するためのシステムは、情報を含有し、来場者のポータブルメディアデバイスと互換性がある、ダウンロード可能機械可読命令を備える、施設アプリと、施設内に位置し、施設内のタグの場所と関連付けられた場所インジケータを有する、無線タグとを含む。施設アプリが、ポータブルメディアデバイスにダウンロードされ、実行され、場所インジケータを無線タグから受信する場合、施設アプリは、場所インジケータに基づいて、ポータブルメディアデバイス上に情報を表示する。
【０００５】
ある実施形態では、施設において、情報を来場者に配信するための方法は、ウェブページを情報とともに構成するステップであって、ウェブページは、無線タグ内に記憶されるユニバーサルリソースロケータ（ＵＲＬ）によってアドレス指定可能である、ステップと、ポータブルメディアデバイスが、無線タグとインターフェースをとると、来場者のポータブルメディアデバイスから、ＵＲＬへのアクセス要求を受信するステップと、ウェブページをポータブルメディアデバイスに送信することによって、情報を来場者に配信するステップとを含む。
【０００６】
ある実施形態では、利害関係者の連絡先情報を広告主に配信するための方法は、利害関係者によってアクセス可能な場所において、広告主の宣伝広告をユニバーサルリソースロケータ（ＵＲＬ）とともにプログラムされる無線タグとともに表示するステップと、ＵＲＬによってアドレス指定可能なウェブページを、連絡先情報を受信するためのスクリプトとともに構成するステップとを含む。本方法はまた、ＵＲＬへのアクセス要求を無線タグとインターフェースをとる、ポータブルメディアデバイスから受信するステップと、スクリプトを使用して、連絡先情報をポータブルメディアデバイスから受信するステップと、収益と引き換えに、連絡先情報を広告主に送信するステップとを含む。
【０００７】
ある実施形態では、施設において、施設の場所特有情報を来場者に配信するためのシステムは、来場者のポータブルメディアデバイスにダウンロードするために利用可能な場所特有情報を含有し、ポータブルメディアデバイスのプロセッサによって実行可能な機械可読命令を備える、施設アプリと、施設内のタグの場所と関連付けられた場所インジケータを有する、無線タグとを含む。ポータブルメディアデバイスが、施設アプリをダウンロードおよび実行し、場所インジケータをタグから受信する場合、施設アプリは、場所インジケータに基づいて、場所特有情報をポータブルメディアデバイス上に表示する。
【０００８】
ある実施形態では、施設において、情報を来場者に配信するための方法は、無線タグ内に記憶されるユニバーサルリソースロケータ（ＵＲＬ）によってアドレス指定可能なウェブページを、情報とともに構成するステップと、ＵＲＬをタグから読み取ったポータブルメディアデバイスからＵＲＬへのアクセス要求を受信するステップと、来場者への配信のために、ウェブページをポータブルメディアデバイスに送信するステップとを含む。
【０００９】
ある実施形態では、施設に、無線タグに基づく通信能力を提供するための方法は、複数の無線タグを施設に特有のデジタルコンテンツとともに構成するステップであって、無線タグはそれぞれ、デジタルコンテンツをポータブルメディアデバイスに伝送可能である、ステップと、無線タグを施設に取り付けるステップとを含む。
【００１０】
ある実施形態では、その中に取り付けられた無線タグを有する、施設の来場者に情報サービスを提供するための方法は、無線タグのうちの１つ以上の上に記憶されたデジタルコンテンツに対応する情報とともにサーバを構成するステップと、デジタルコンテンツを無線タグのうちの１つから受信する、ポータブルメディアデバイスからの要求の受信に応じて、情報をポータブルメディアデバイスにダウンロードするステップとを含む。
【００１１】
ある実施形態では、施設経営者が、施設来場者の顧客経験を向上させるための方法は、施設の情報をメディアプロバイダに提供するステップと、メディアプロバイダに、施設へのアクセスを許可し、施設内に、情報の物理的表示とともに、無線タグを取り付けるステップであって、無線タグは、来場者が、ポータブルメディアデバイスを通してアクセスし、さらなる情報を表示することができる、デジタルコンテンツを記憶する、ステップとを含む。
【図面の簡単な説明】
【００１２】
【図１】図１は、ある実施形態における、施設において、情報を来場者に配信するための一例示的無線システムを示す。
【図２】図２は、ある実施形態における、施設において、情報を来場者に配信するための一例示的方法を図示する、流れ図である。
【図３】図３は、ある実施形態における、宣伝広告（広告）を施設来場者に配信するための一例示的無線システムを示す。
【図４】図４は、ある実施形態における、施設来場者に調査を提示するための一例示的無線システムを示す。
【図５】図５は、ある実施形態における、施設来場者にアップデートされた情報を提供するための一例示的無線システムを示す。
【図６】図６は、ある実施形態における、競技会に申し込む来場者の連絡先情報を収集するための一例示的無線システムを示す。
【図７】図７は、ある実施形態における、自動的に、ソーシャルネットワーキングサーバをアップデートするための一例示的無線システムを示す。
【図８】図８は、ある実施形態における、施設来場者の写真をアップロードするための一例示的無線システムを示す。
【図９】図９は、ある実施形態における、スキーのリフト用のイス上に取り付けられたメディア表示システムを図示する。
【図１０】図１０は、ある実施形態における、施設来場者を追跡するための一例示的無線システムを示す。
【図１１】図１１は、ある実施形態における、プロセッサ、短距離無線インターフェース、バッテリ、メモリ、ビデオクリップ、オーディオクリップ、およびクーポンを伴う、一例示的高度短距離タグを示す。
【図１２】図１２は、ある実施形態における、一括宣伝広告材料をポータブル通信デバイスに提供するための一例示的システムを示す。
【図１３】図１３は、施設のための無線タグ通信アプリケーションを取り付け、運用する際に関与し得る、事業体間の典型的ビジネス関係を図示する。
【図１４】図１４は、ある実施形態における、自動的に、ポータブル通信デバイスを施設来場者のみに利用可能な施設ページにダイレクトするための一例示的システムを示す。
【発明を実施するための形態】
【００１３】
以下の実施形態では、説明されるポータブルメディアデバイスは、スマートフォン（例えば、近距離無線通信（ＮＦＣ）タグ読取能力を含む、Ｂｌａｃｋｂｅｒｒｙ（登録商標）Ｔｏｒｃｈ、Ｎｏｋｉａ（登録商標）７００、Ｓａｍｓｕｎｇ（登録商標）Ｓ５２３０、Ｂｌｕｅｔｏｏｔｈ（登録商標）４．０および／またはＮＦＣタグ読取能力を含む、ＡＰＰＬＥ（登録商標）ＩＰＨＯＮＥ（登録商標）等）、または短距離無線通信能力、随意に、ネットワーク（例えば、インターネット）通信能力を装備する、任意の他のモバイルデバイスを表し得る。 
【００１４】
本明細書で使用されるように、「無線タグ」とは、ＮＦＣタグ、ＲＦＩＤタグ、Ｂｌｕｅｔｏｏｔｈ（登録商標）デバイス、または他の物体と統合されることができ、かつポータブルメディアデバイスと無線でインターフェースをとることができる、他のデバイスのいずれかを意味する。また、本明細書で使用されるように、ポータブルメディアデバイスが、無線タグと「インターフェースをとる」とは、そのようなデバイスおよびタグが、相互に近接すると、デバイスおよびタグのうちの少なくとも一方が、情報を他方に無線で伝送することを意味する。一実施形態では、ポータブルメディアデバイスは、短距離無線信号を発信し、そこから、ＮＦＣタグは、電力を収集し、ポータブルメディアデバイスによって受信されるデジタル情報を含有する応答信号を発信することによって、応答する。別の実施形態では、Ｂｌｕｅｔｏｏｔｈ（登録商標）タグは、ポータブルメディアデバイスによって発信される短距離無線信号を検出し、ポータブルメディアデバイスによって受信されるデジタル情報を含有する応答信号を送信することによって応答する。
【００１５】
以下の実施例および実施形態では、サーバは、メモリ、プロセッサを含み、ネットワーク能力を有する、１つ以上のコンピュータを表し得る。
【００１６】
本明細書で使用されるように、「施設」とは、概して、公共または個人ベースにおいて、施設の経営者によって運営され、来場者が、エンターテイメント、買物、交通、および／または娯楽目的のために訪れ得る、任意の建物あるいは屋内または屋外設備である。施設の実施例として、限定ではないが、スタジアム、アリーナ、野球場、映画館、競技場、公園、レジャーランド、体育館、ゲームセンター、スケートリンク、ボーリング場、店舗、ショッピングセンター、空港、電車の駅、バス停、ドライブイン、マリーナ、レストラン、行楽地、遊園地、およびスキー場が挙げられる。また、本明細書で使用されるように、施設における「来場者」とは、施設における任意の人物を意味するために使用され、例えば、「来場者」は、限定ではないが、料金を支払うまたは支払わない顧客、従業員、所有者、管理者、契約社員、営業許可取得者、保安要員、運転手、パイロット等が挙げられる。
【００１７】
本明細書で使用されるように、「アプリ」とは、ポータブルメディアデバイス上にダウンロード（インストール）され、そのプロセッサによって実行され、特定の施設に特有の機能性および／または無線タグに特有の機能性を提供する命令を含む、ソフトウェア製品である。例えば、ＡＰＰＬＥ（登録商標）は、アプリストアを提供し、そこから、アプリが、ＩＰＨＯＮＥ（登録商標）上にダウンロード、インストール、および実行され得る。アプリは、広告主１３０２、施設経営者１３０４、ＩＴプロバイダ１３０８、および／またはメディアプロバイダ１３１０（図１３参照）等の本明細書に説明される事業体によってダウンロードされ、展開および利用可能となってもよく、または他のソースから公的に入手可能であってもよい。典型的には、ポータブルメディアデバイスは、アプリがダウンロードされ得るメモリと、アプリを実行するプロセッサとを含む。メモリは、例えば、不揮発性（例えば、非一過性）メモリであることができる。
【００１８】
図１は、情報１０２を施設１０６における来場者１０４に配信するための一例示的無線システム１００を示す。情報１０２は、施設１０６に関する情報を含んでもよい。システム１００は、無線サーバ１０８、施設サーバ１１０、および無線タグ１１２を含む。無線サーバ１０８は、ネットワーク１２０に接続され、それを介してアクセス可能である。ネットワーク１２０は、例えば、ローカルエリアネットワーク、広域ネットワーク、およびインターネットのうちの１つ以上である。随意に、施設サーバ１１０もまた、ネットワーク１２０に接続されてもよく、または無線サーバ１０８と直接通信（例えば、ローカルネットワークに接続される）してもよい。一実施形態では、無線サーバ１０８および施設サーバ１１０の機能性は、単一サーバ内に共存および／または組み合わせられる。情報１０２は、例えば、施設サーバ１１０のデータベース１１８内に記憶されてもよい。
【００１９】
無線タグ１１２は、施設１０６内に位置付けられ、来場者１０４によってアクセス可能である。例えば、タグ１１２は、来場者１０４に可視となるポスター１１４上に位置付けられる。ポスター１１４は、施設の情報、タグ１１２を使用するための命令、または他の情報を表示してもよく、タグ１１２の存在および場所を来場者１０４に示してもよい。無線タグ１１２は、大判の標識、施設レストランにおけるバーまたはトレイ、施設におけるテーブル、施設で飲料のために使用されるカップ、リフトチケット、施設で配布される宣伝材料、スキー立て、施設でレンタルされるスキー用具、および施設における部屋の鍵等の施設１０６内のいずれかの場所に位置付けられてもよい。
【００２０】
無線タグ１１２は、その中に記憶されるデジタルコンテンツ１１３を含み、無線タグ１１２は、以下に論じられるように、来場者１０４によるアクセスに応じて、デジタルコンテンツ１１３を伝送する。ある実施形態では、デジタルコンテンツ１１３は、既知のリソースが、ネットワーク（例えば、インターネット）およびそれを読み出すための機構上で利用可能である場所を指定する文字列である、ユニバーサルリソースロケータ（ＵＲＬ）を含む。そのような実施形態では、タグ１１２は、無線サーバ１０８によってホストされるウェブページ１１６を識別する、少なくとも１つのＵＲＬを含む（例えば、デジタルコンテンツ１１３内に）。無線サーバ１０８は、ネットワーク１２０を介して、施設サーバ１１０と通信し、例えば、ウェブページ１１６内に含有するために、情報１０２をデータベース１１８から読み出す。他の実施形態では、デジタルコンテンツ１１３は、以下に説明されるように、ＵＲＬの代わりに、またはそれに加え、デジタルビデオ、オーディオ、テキスト、および／または画像情報、来場者１０４によって利用され得るアプリケーションのためのパラメータ、および／または無線タグ１１２の場所識別子（例えば、図８の場所ＩＤ８１５参照）を含む情報を含んでもよい。実施形態では、デジタルコンテンツ１１３は、以下に論じられるように、施設に特有の情報、広告主に関連する情報、公共サービス情報、またはそのような情報の任意の組み合わせを含む、またはそれにリンクしてもよい（例えば、ＵＲＬを通して）。情報のそのような組み合わせの１つは、場所識別子の知識を含む、ウェブページへのリンク、すなわち、ウェブページが、ポータブルメディアデバイス上で開かれると、特有の場所識別子の情報とともにカスタマイズされる、ウェブページにアクセスする、ＵＲＬである。
【００２１】
来場者１０４は、ネットワーク能力を有し得る、ポータブルメディアデバイス１２２（例えば、無線インターネット接続および／または携帯電話キャリアと協働する、携帯電話またはタブレットデバイス）を有し、そこに非常に接近（例えば、約８インチ以内）するとき、タグ１１２を読み取るための無線リーダ１２４を含む。動作の一実施例では、来場者１０４は、デバイス１２２をタグ１１２に非常に接近させ、それに応じて、デバイス１２２は、自動的に、ＵＲＬをデジタルコンテンツ１１３として無線タグ１１２から読み取り、ウェブページ１１６に接続し、情報１０２を読み出す。動作の他の実施例では、来場者１０４が、デバイス１２２をタグ１１２に非常に接近させると、デバイス１２２は、自動的に、デジタルビデオ、オーディオ、テキスト、および／または画像情報をデジタルコンテンツ１１３としてタグ１１２から読み取り、デバイス１２２を通して、対応するビデオ、オーディオ、テキスト、および／または画像を表示する。動作のさらに別の実施例では、来場者１０４が、デバイス１２２をタグ１１２に非常に接近させると、デバイス１２２は、自動的に、デバイス１２２上で起動するアプリケーションによって利用され得るパラメータをデジタルコンテンツ１１３としてタグ１１２から読み取る。
【００２２】
無線タグ１１２は、表示等の静的アイテムに取着されてもよく、または施設内を移動する人々のための可動性デバイスに取着されてもよい。施設１０６がスキー場である、一実施例では、タグ１１２は、行楽地におけるスキーリフトのイス上に搭載され、ポスター１１４は、イスの制止バー上に表示される、マップ、宣伝広告、および行楽地情報のうちの１つ以上を表す。施設１０６がスキー場である、別の実施例では、タグ１１２は、行楽地におけるゴンドラリフトの客室またはシャトルバス内に搭載され、ポスター１１４は、客室内に表示されるマップ、宣伝広告、および行楽地情報のうちの１つ以上を表す。施設１０６が遊園地であって、可動性デバイスが乗り物である、別の実施例では、タグ１１２は、乗り物内に着席している間、来場者１０４の手の届く所に搭載される。別の実施例では、施設１０６がスポーツスタジアムを表し、タグ１１２は、スタジアム内に着席している間、来場者１０４の手の届く所に搭載される。タグ１１２が、可動性デバイス上、または施設における具体的座席の手の届く所に搭載されるとき、デジタルコンテンツ１１３は、タグ１１２の具体的場所と関連付けられた場所インジケータを含んでもよい。例えば、スキーリフトのイスは、多くの場合、番号が付与され、それに応じて、具体的イスと関連付けられたタグは、スキーリフトおよびイスの番号によってイスを識別する、場所インジケータを含んでもよい。別の実施例では、デジタルコンテンツ１１３は、区画、列、および座席番号と関連付けられた場所インジケータを含んでもよい。
【００２３】
一実施形態では、情報１０２は、斜面の手入れ情報、スキーリフト開閉時間、スキーリフト待機時間、天気情報、レストラン情報、特別キャンペーン、具体的クーポン、イベント情報、施設カレンダー、指示メッセージ、全数調査への招待、施設アプリダウンロードへのリンク、リフトチケット購入、開園および閉園時間、施設電子メール（「電子メール」）またはテキスト通信の購読申込、およびキャンペーンに申し込むための登録のうちの１つ以上である。
【００２４】
一実施形態では、システム１００の無線サーバ１０８、ポスター１１４、および無線タグ１１２の機能性は、収益と引き換えに、サービスとして施設１０６に提供される。施設１０６は、サーバ１１０および情報１０２を無線サーバ１０８に、ポスター１１４上における表示のための情報とともに提供する。一実施例では、ポスター１１４および無線タグ１１２は、第１の料金に対して提供され、デバイス１２２がタグ１１２を読み取ったことから生じるウェブページ１１６へのアクセス毎に、第２の料金を生み出す。
【００２５】
図２は、情報１０２を施設１０６における来場者１０４に配信するための一例示的方法２００を図示する、流れ図である。方法２００は、例えば、少なくとも部分的に、システム１００の無線サーバ１０８内に実装される。
【００２６】
ステップ２０２は、随意である。ステップ２０２内に含まれる場合、方法２００は、無線タグをデジタルコンテンツ１１３としてＵＲＬとともに構成する。ステップ２０２の一実施例では、無線タグ１１２は、無線タグライターを使用して、ＵＲＬをデジタルコンテンツ１１３として記憶するようにプログラムされる。ステップ２０４では、方法２００は、ＵＲＬによってアドレス指定可能なウェブページを構成する。ステップ２０４の一実施例では、無線サーバ１０８は、ウェブページ１１６をＵＲＬによってアドレス指定可能であるように構成する。ステップ２０６では、方法２００は、情報を読み出す。ステップ２０６の一実施例では、無線サーバ１０８は、情報１０２を施設サーバ１１０のデータベース１１８から読み出す。ステップ２０８では、方法２００は、施設情報をウェブページ上に含む。ステップ２０８の一実施例では、無線サーバ１０８は、情報１０２をウェブページ１１６上に含む。ステップ２１０では、方法２００は、ＵＲＬを無線タグから読み取ったポータブルメディアデバイスからウェブページへのアクセス要求を受信する。ステップ２１０の一実施例では、無線サーバ１０８は、ポータブルメディアデバイス１２２が、ＵＲＬをデジタルコンテンツ１１３としてタグ１１２から読み取るとき、ウェブページ１１６へのアクセス要求をポータブルメディアデバイス１２２から受信する。ステップ２１２では、方法２００は、ウェブページをポータブルメディアデバイスに送信する。ステップ２１０の一実施例では、無線サーバ１０８は、ウェブページ１１６をポータブルメディアデバイス１２２に送信する。
【００２７】
ステップ２１０および２１２は、アクセス要求が受信される度に繰り返される。さらに、ステップ２０６および２０８は、周期的にまたは情報１０２が変更される度に、繰り返されてもよい。一実施形態では、無線サーバ１０８は、レポートサーバ１１０のレポート情報１０２に基づいて、ウェブページ１１６をアップデートする。方法２００内のステップの順序は、その範囲から逸脱することなく、変更されてもよい。例えば、ステップ２０２は、ステップ２０４後に生じてもよい。
【００２８】
図３は、宣伝広告（広告）３０２を施設３０６における来場者３０４に配信するための一例示的無線システム３００を示す。システム３００は、少なくとも１つの無線タグ３１２と、宣伝広告（広告）サーバ３１０と通信する無線サーバ３０８とを含む。無線サーバ３０８は、ネットワーク３２０に接続され、それを介してアクセス可能である。ネットワーク３２０は、例えば、ローカルエリアネットワーク、広域ネットワーク、およびインターネットのうちの１つ以上である。広告サーバ３１０は、ネットワーク３２０に接続し、無線サーバ３０８と通信する。一実施形態では、無線サーバ３０８および広告サーバ３１０の機能性は、単一サーバ内に共存および／または組み合わせられる。広告３０２は、例えば、サーバ３１０内の広告データベース３１８に記憶されてもよい。
【００２９】
無線タグ３１２は、施設３０６内に位置付けられ、来場者３０４によってアクセス可能である。図３の実施例では、タグ３１２（１）は、表示３１４（１）上に位置付けられ、タグ３１２（２）は、表示３１４（２）上に位置付けられ、その存在は、来場者３０４に示されてもよい。表示３１４は、施設情報を提供してもよく、有料宣伝広告を表してもよく、または施設３０６と関連付けられた広告を表してもよい。表示３１４は、タグ３１２を使用するための指示を含んでもよく、タグ３１２の存在および場所を来場者３０４に示してもよい。
【００３０】
図３の実施例では、タグ３１２（１）は、無線サーバ３０８によってホストされるウェブページ３１６（１）を識別する、少なくとも１つのＵＲＬ３１３（１）を含み、タグ３１２（２）は、無線サーバ３０８によってホストされるウェブページ３１６（２）を識別する、少なくとも１つのＵＲＬ３１３（２）を含む。無線サーバ３０８は、ネットワーク３２０を介して、広告サーバ３１０と通信し、例えば、ウェブページ３１６内に含有するために、広告３０２を広告データベース３１８から読み出す。
【００３１】
来場者３０４は、ネットワーク能力を有する、ポータブルメディアデバイス３２２（例えば、無線インターネット接続および／または携帯電話キャリアと協働する、携帯電話またはタブレットデバイス）を有し、そこに非常に接近（例えば、約８インチ以内）するとき、無線タグ３１２を読み取るための無線リーダ３２４を含む。動作の一実施例では、来場者３０４は、デバイス３２２をタグ３１２（１）に非常に接近させ、それに応じて、デバイス３２２は、自動的に、無線タグ３１２（１）からのＵＲＬを含む、デジタルコンテンツ３１３（１）を読み取り、ＵＲＬによって指定されるウェブページ３１６（１）に接続し、広告３０２（１）を読み出す。
【００３２】
無線タグ３１２は、表示または座席等の静的アイテムに取着されてもよく、または施設を移動する人々のための可動性デバイスに取着されてもよい。施設３０６がスキー場である、一実施例では、表示３１４は、行楽地におけるスキーリフトのイスの制止バー上に搭載され、マップ、行楽地情報、および有料宣伝広告を含んでもよい。タグ３１２は、イス上または表示３１４内に搭載される。特に、タグ３１２は、表示３１４の宣伝広告とともに登載されてもよい（例えば、タグ３１２は、宣伝広告内またはそれに隣接してもよい）。施設３０６がスキー場である、別の実施例では、タグ３１２は、行楽地におけるゴンドラリフトの客室またはシャトルバス内の表示３１４上にまたはそれに近接して搭載される。施設３０６が遊園地であって、可動性デバイスが乗り物である、別の実施例では、タグ３１２は、乗り物内に着席している間、来場者３０４の手の届く所に搭載される。別の実施例では、施設３０６は、スポーツスタジアムを表し、タグ３１２は、スタジアム内に着席している間、来場者３０４の手の届く所に搭載される。
【００３３】
一実施形態では、タグ３１２は、表示３１４のコンテンツと関連付けられ、タグ内に記憶されるデジタルコンテンツ３１３は、コンテンツに関連して表示のために選択される広告３０２を識別する。すなわち、デジタルコンテンツ３１３（１）内のＵＲＬによってアドレス指定されるウェブページ３１６（１）は、表示３１４（１）と関連付けられた１つ以上の選択された広告３０２（１）を有する。別の実施形態では、タグ３１２は、同一のデジタルコンテンツ３１３（すなわち、デジタルコンテンツ３１３（１）および３１３（２）内に含有されるＵＲＬは、同一である）を含有し、１つのウェブページ３１６が、来場者３０４への表示のために、ランダムまたは時間特有の宣伝広告を広告データベース３１８から選択する。すなわち、表示される広告３０２は、具体的には、表示３１４と関連付けられない。
【００３４】
一実施形態では、システム３００の無線サーバ３０８、表示３１４、および無線タグ３１２の機能性は、収益と引き換えに、サービスとして広告主に提供される。広告主は、広告サーバ３１０および広告３０２を無線サーバ３０８に、表示３１４上に表示するための情報とともに提供する。一実施例では、表示３１４および無線タグ３１２は、第１の料金に対して提供され、デバイス３２２が１つのタグ３１２を読み取る結果、広告３０２がデバイス３２２に配信される度に、第２の料金を生み出す。広告主が、来場者３０４および／または来場者のポータブルメディアデバイス３２２の情報に対して支払うことに対する取り決めによって、さらなる料金が発生されてもよい。例えば、料金は、さらに以下に論じられるように、来場者３０４が、ＵＲＬを通してアクセス可能な関連ウェブページを選択することによって、広告主による追跡のための電子メールアドレス、電話番号、または他の連絡先情報を入力することによって等、宣伝広告への関心を示すとき、支払うべきものとなってもよい。来場者３０４の情報、ならびポータブルメディアデバイス３２２が無線タグ３１２にアクセスした回数および時間を集計した統計は、本明細書では、利用情報と称され得る。
【００３５】
動作の一実施例では、来場者３０４は、表示３１４（２）を見て、デバイス３２２を操作し、タグ３１２（２）を読み取る。デバイス３２２は、自動的に、広告３０２（２）を広告サーバ３１０から読み出し、広告３０２（２）のコンテンツを来場者３０４に表示する。広告３０２（２）は、来場者３０４による選択に応じて、自動的に、広告３０２（２）の広告された製品の購入を確認する、ボタンを含む。一実施形態では、来場者３０４は、デバイス３２２が、あるタイプのタグ３１２を読み取ると、自動的に、来場者３０４の連絡先情報を広告主のウェブページに提供するようにデバイス３２２を構成する。例えば、タグ３１２は、デジタルコンテンツ３１３内に、タグによって提供される情報のタイプ（例えば、宣伝広告、施設情報、クーポン等）を特徴付ける、特徴値を含んでもよい。来場者３０４は、自動的に、来場者３０４の連絡先情報を選択されたタイプのスキャンされたタグと関連付けられたウェブページに提供するようにデバイス３２２を構成してもよい。例えば、来場者３０４は、そのタグ３１２が、デバイス３２２によってスキャンされると、自動的に、連絡先情報をアパレル系広告主に提供するようにデバイス３２２を構成してもよい。広告主は、次いで、広告された製品に関して、来場者３０４を追跡してもよい。別の実施形態では、デバイス３２２は、来場者３０４が、タグ３１３（２）を読み取ると、デバイス３２２が、自動的に、支払および／または同様にデバイス３２２内に構成された住所への広告された製品の配達を認めるように、金銭的値とともに構成される（例えば、金融口座にリンクされる、またはキャッシュ値で事前にロードされる）。
【００３６】
図４は、調査４０２を施設４０６における来場者４０４に提示するための一例示的無線システム４００を示す。システム４００は、少なくとも１つの無線タグ４１２および無線サーバ４０８を含む。無線サーバ４０８は、ネットワーク４２０に接続され、それを介してアクセス可能である。ネットワーク４２０は、例えば、ローカルエリアネットワーク、および広域ネットワーク、およびインターネットのうちの１つ以上である。調査サーバ４１０はまた、ネットワーク４２０に接続され、また、無線サーバ４０８と直接通信（例えば、ローカルネットワーク上に接続される）してもよい。一実施形態では、無線サーバ４０８および調査サーバ４１０の機能性は、単一サーバ内に共存および／または組み合わせられる。調査４０２および来場者４０４からの関連付けられた応答は、例えば、調査サーバ４１０内の調査データベース４１８内に記憶されてもよい。
【００３７】
無線タグ４１２は、施設４０６内に位置付けられ、来場者４０４によってアクセス可能である。図４の実施例では、タグ４１２（１）は、表示４１４上に位置付けられ、タグ４１２の存在は、来場者４０４に示されてもよい。表示４１４は、施設情報を提供してもよく、有料宣伝広告を表してもよく、施設４０６と関連付けられた広告を表してもよく、他の情報を含有してもよい。表示４１４は、タグ４１２を使用するための指示を含んでもよく、タグ４１２の存在および場所を来場者４０４に示してもよい。
【００３８】
図４の実施例では、タグ４１２は、無線サーバ４０８によってホストされるウェブページ４１６を識別する少なくとも１つのＵＲＬを含む、デジタルコンテンツ４１３を含む。ウェブページ４１６は、任意のアクセスクライアントを調査サーバ４１０によってホストされる少なくとも１つの調査ウェブページ４３２にリダイレクトする、リダイレクト４１７を含有する。調査ウェブページ４３２は、視聴者が関心を示し得る、調査４３４を提示する。
【００３９】
来場者４０４は、ネットワーク能力を有するポータブルメディアデバイス４２２（例えば、無線インターネット接続および／または携帯電話キャリアと協働する、携帯電話またはタブレットデバイス）を有し、そこに非常に接近（例えば、約８インチ以内）するとき、タグ４１２を読み取るための無線リーダ４２４を含む。動作の一実施例では、来場者４０４は、デバイス４２２をタグ４１２に非常に接近させ、それに応じて、デバイス４２２は、自動的に、デジタルコンテンツ４１３を無線タグ４１２から読み取り、ウェブページ４１６に接続し、調査ウェブページ４３２にリダイレクトされ、調査４３４をそこから受信する。
【００４０】
無線タグ４１２は、表示等の静的アイテムに取着されてもよく、または施設を移動する人々のための可動性デバイスに取着されてもよい。施設４０６がスキー場である、一実施例では、タグ４１２は、行楽地におけるスキーリフトのイス上に搭載され、表示４１４は、イスの制止バー上に搭載され、マップ、行楽地情報、および有料宣伝広告を含んでもよい。施設４０６がスキー場である、別の実施例では、表示４１４は、行楽地におけるゴンドラリフトの客室またはシャトルバス内に搭載される。施設４０６が遊園地である、別の実施例では、タグ４１２は、乗り物内に着席している間、来場者４０４の手の届く所に搭載される。別の実施例では、施設４０６は、スポーツスタジアムを表し、タグ４１２は、スタジアム内に着席している間、来場者４０４の手の届く所に搭載される。
【００４１】
一実施形態では、来場者４０４は、調査の記入に応じた報酬クーポン４３６の提案によって、調査４３４を記入（調査サーバ４１０との相互作用を通して）するように勧誘される。報酬クーポン４３６は、例えば、店舗での割引、レストランでの割引、リフト割引等のうちの１つ等、施設４０６において使用するためのクーポンである。表示４１４およびタグ４１２は、スキー場におけるイスリフトのイスの安全バー上に搭載される場合、調査記入は、イスに乗っているときの来場者４０４の拘束されている性質を背景として、期待できる。
【００４２】
一実施形態では、システム４００の無線サーバ４０８、表示４１４、および無線タグ４１２の機能性は、収益と引き換えに、サービスとして施設４０６に提供される。調査サーバ１１０は、第三者によって提供されてもよく、または随意に、収益と引き換えに、システム４００の機能性の一部として提供されてもよい。一実施例では、表示４１４および無線タグ４１２は、第１の料金に対して提供され、ウェブページ４１６へのアクセスが、来場者４０４による調査４３４の記入をもたらす度に、付加的第２の料金を生み出す。来場者４０４の調査応答および／または連絡先情報等のポータブルメディアデバイス４２２からアップロードされた情報、ならびにポータブルメディアデバイス４２２が無線タグ４１２にアクセスした回数および時間を集計した統計もまた、本明細書では、利用情報と称され得る。
【００４３】
図５は、アップデートされた情報５０２を施設５０６における来場者５０４に提供するための一例示的無線システム５００を示す。システム５００は、少なくとも１つの無線タグ５１２および無線サーバ５０８を含む。無線サーバ５０８はネットワーク５２０に接続され、それを介してアクセス可能である。ネットワーク５２０は、例えば、ローカルエリアネットワーク、広域ネットワーク、およびインターネットのうちの１つ以上である。施設サーバ５１０はまた、ネットワーク５２０に接続してもよく、また、無線サーバ５０８と直接通信（例えば、ローカルネットワーク上に接続される）してもよい。一実施形態では、無線サーバ５０８および施設サーバ５１０の機能性は、単一サーバ内に共存および／または組み合わせられる。情報アップデート５０２は、例えば、施設サーバ５１０内のデータベース５１８に記憶されてもよい。
【００４４】
無線タグ５１２は、施設５０６内に位置付けられ、来場者５０４によってアクセス可能である。図５の実施例では、タグ５１２は、表示５１４上に位置付けられ、タグ５１２の存在は、来場者５０４に示されてもよい。表示５１４は、施設情報を提供してもよく、有料宣伝広告を表してもよく、施設５０６と関連付けられた広告を表してもよく、他の情報を含有してもよい。表示５１４は、タグ５１２を使用するための指示を含んでもよく、タグ５１２の存在および場所を来場者５０４に示してもよい。
【００４５】
図５の実施例では、タグ５１２は、無線サーバ５０８によってホストされるウェブページ５１６を識別する少なくとも１つのＵＲＬを含む、デジタルコンテンツ５１３と、施設５０６内のタグ５１２の場所を識別する、場所ＩＤ５１７とを含む。ウェブページ５１６は、データベース５１８から読み出される、情報アップデート５０２を含んでもよく、またはその情報へのリダイレクトを含んでもよい。
【００４６】
来場者５０４は、ネットワーク能力を有するポータブルメディアデバイス５２２（例えば、無線インターネット接続および／または携帯電話キャリアと協働する、携帯電話またはタブレットデバイス）を有し、そこに非常に接近（例えば、約８インチ以内）するとき、タグ５１２を読み取るための無線リーダ５２４を含む。動作の一実施例では、来場者５０４は、デバイス５２２をタグ５１２に非常に接近させ、それに応じて、デバイス５２２は、自動的に、デジタルコンテンツ５１３および場所ＩＤ５１７を無線タグ５１２から読み取る。一実施形態では、ポータブルメディアデバイス５２２は、自動的に、ウェブページ５１６に接続し、情報アップデート５０２を読み出し、場所ＩＤ５１７に基づいて、施設５０６内の来場者５０４の場所を判定し、来場者５０４に表示してもよい。ポータブルメディアデバイス５２２上にインストールされる、施設アプリ５２６が、場所ＩＤ５１７によってインデックスされる、施設５０６内の場所のリストを含む、別の実施形態では、施設アプリ５２６は、自動的に、タグ５１２から読み取られた場所ＩＤ５１７に基づいて、来場者５０４の場所を判定する。具体的には、タグ５１２は、タグ５１２内にプログラムされた場所ＩＤ５１７に対応する施設５０６内の場所に位置付けられる。
【００４７】
無線タグ５１２は、表示等の静的アイテムに取着されてもよく、または施設を移動する人々のための可動性デバイスに取着されてもよい。施設５０６がスキー場である、一実施例では、タグ５１２は、行楽地におけるスキーリフトのイス上に搭載され、表示５１４は、イスの制止バー上に搭載され、マップ、行楽地情報、および有料宣伝広告を含んでもよい。施設５０６がスキー場である、別の実施例では、表示５１４は、行楽地におけるゴンドラリフトの客室またはシャトルバス内に搭載される。施設５０６が遊園地である、別の実施例では、タグ５１２は、乗り物内に着席している間、来場者５０４の手の届く所に搭載される。別の実施例では、施設５０６は、スポーツスタジアムを表し、タグ５１２は、スタジアム内に着席している間、来場者５０４の手の届く所に搭載される。
【００４８】
一実施形態では、システム５００の機能性は、収益と引き換えに、施設５０６に提供される。表示５１４および無線タグ５１２は、第１の料金に対して提供され、デバイス５２２がタグ５１２を読み取ったことから生じるウェブページ５１６へのアクセスの度に付加的第２の料金を生み出す。
【００４９】
図６は、競技会６０２に申し込む来場者６０４の連絡先情報を収集するための一例示的無線システム６００を示す。システム６００は、少なくとも１つの無線タグ６１２および無線サーバ６０８を含む。無線サーバ６０８は、ネットワーク６２０に接続され、それを介してアクセス可能である。ネットワーク６２０は、例えば、ローカルエリアネットワーク、広域ネットワーク、およびインターネットのうちの１つ以上である。競技会サーバ６１０は、競技会ウェブページ６３０を提供し、ネットワーク６２０に接続し、また、無線サーバ６０８と直接通信してもよい（例えば、ローカルネットワーク上に接続される）。一実施形態では、無線サーバ６０８および競技会サーバ６１０の機能性は、単一サーバ内に共存および／または組み合わせられる。一実施例では、競技会６０２は、スキー場（例えば、図１の施設１０６）における来場者のために開催される。別の実施例では、競技会６０２は、スタジアムにおける来場者のために開催される。
【００５０】
随意に、無線タグ６１２は、競技会エリア６０６内に位置付けられ、競技会６０２への申し込みをエリア６０６内に位置する来場者に制限する。図６の実施例では、タグ６１２は、表示６１４上に位置付けられ、タグ６１２の存在は、そこにおける来場者６０４に示されてもよい。表示６１４は、例えば、競技会情報を提供し、有料広告および他の情報を含有してもよい。一実施例では、競技会は、賞の抽選会である。一実施形態では、表示６１４は、タグ６１２を使用して、競技会６０２に申し込むための指示を含み、タグ６１２の存在および場所を来場者６０４に示してもよい。
【００５１】
図６の実施例では、タグ６１２は、無線サーバ６０８によってホストされるウェブページ６１６を識別する少なくとも１つのＵＲＬを含む、デジタルコンテンツ６１３を含む。ウェブページ６１６は、競技会６０２と関連付けられた条件６１７を含んでもよく、あるいはそのような情報へのリンクと、来場者６０４が、条件６１７の承諾を示すためにクリックし、それに応じて、無線サーバ６０８が、来場者の合意６２６またはその意志を連絡先データベース６１８に記憶し得る、承諾ボタン６１９とを含んでもよい。
【００５２】
来場者６０４は、ネットワーク能力を有するポータブルメディアデバイス６２２（例えば、無線インターネット接続および／または携帯電話キャリアと協働する、携帯電話またはタブレットデバイス）を有し、そこに非常に接近（例えば、約８インチ以内）するとき、タグ６１２を読み取るための無線リーダ６２４を含む。動作の一実施例では、来場者６０４は、デバイス６２２をタグ６１２に非常に接近させ、それに応じて、デバイス６２２は、自動的に、デジタルコンテンツ６１３内に含まれるＵＲＬを無線タグ６１２から読み取り、自動的に、ＵＲＬによって示されるウェブページ６１６に接続し、条件６１７を読み出す。
【００５３】
無線タグ６１２は、表示等の静的アイテムに取着されてもよく、または施設を移動する人々のための可動性デバイスに取着されてもよい。エリア６０６がスキー場である、一実施例では、タグ６１２は、行楽地におけるスキーリフトのイス上に搭載され、表示６１４は、イスの制止バー上に搭載され、マップ、行楽地情報、および有料宣伝広告を含んでもよい。エリア６０６がスキー場である、別の実施例では、表示６１４は、行楽地におけるゴンドラリフトの客室またはシャトルバス内に搭載される。エリア６０６が遊園地である、別の実施例では、タグ６１２は、乗り物内に着席している来場者６０４の手の届く所に搭載される。別の実施例では、エリア６０６は、スポーツスタジアムを表し、タグ６１２は、スタジアム内に着席している来場者６０４の手の届く所に搭載される。
【００５４】
来場者６０４は、無線ウェブページ６１６の承諾ボタン６１９をクリックすることによって、条件６１７の承諾を示し、それに応じて、来場者６０４の連絡先情報６３４が、無線サーバ６０８に転送され、連絡先データベース６１８内に、来場者の合意６２６とともに記憶される。
【００５５】
条件６１７は、宣伝広告の目的のために、連絡先情報６３４を使用することに対する合意を含んでもよく、その場合、連絡先データベース６１８内の情報は、広告会社に販売されてもよい。来場者６０４は、競技会６０２に申し込み可能となるために、条件６１７に合意する気になる。一実施例では、競技会６０２は、新車が当たる賞の抽選会であって、その場合、承諾条件６１７は、競技会への申し込みをもたらす。スタジアム内では、タグ６１２は、肘掛け、対面壁、および対面座席の背面等の座席特有の場所、または各来場者６０４が、宣伝時、タグ６１４を利用して、競技会６０２に申し込み得るように、売店、廊下、およびトイレ等の共用エリアに位置してもよい。
【００５６】
一実施形態では、２つのタグ６１２が、調査または他の質問に応答するために使用され、２つのタグ６１２のうちの１つ目は、「はい」を示し、２つのタグ６１２のうちの２つ目は、「いいえ」を示す。
【００５７】
一実施形態では、無線サーバ６０８、表示６１４、および無線タグ６１２の機能性は、収益と引き換えに、サービスとして第三者に提供される。随意に、競技会サーバ６１０の機能性は、収益と引き換えに、第三者に提供される。表示６１４およびタグ６１２は、第１の料金に対して提供され、来場者の合意６２６および連絡先情報６３４対が受信される度に、第三者からの付加的料金を生み出す。競技会サーバ６１０が、システム６００内に含まれる、一実施形態では、競技会６０２のための賞のコストは、サービス料金から支払われる。競技会への申し込み、来場者の合意６２６、および／または来場者６０４の連絡先情報６３４等のポータブルメディアデバイス６２２からアップロードされる情報、ならびにポータブルメディアデバイス６２２が無線タグ６１２にアクセスした回数および時間を集計した統計もまた、本明細書では、利用情報と称され得る。
【００５８】
一実施形態では、無線タグ（例えば、ＮＦＣタグおよびＢｌｕｅｔｏｏｔｈ（登録商標）タグ）は、施設の周囲の戦略的場所に位置付けられ、第１のタグが、第２のタグの場所情報を含有し、これは、順に、第３のタグの場所情報を含有する等のように構成される。場所情報は、次の無線タグの実際の場所を判定するように解読されなければならない、ヒントの形態であってもよい。これらの無線タグは、それによって、施設内の宝探しのための順路が与えられる。各タグは、プレーヤが、各無線タグを辿り、それを見つけた証拠を収集することになる、他の指示（例えば、本場所から見える青色キオスクの隣で写真を撮影しなさい）を含んでもよい。一実施例では、宣伝広告はまた、プレーヤが、順路を辿るとき、そのような宣伝広告に目がとまるように、各無線タグ内に含まれる、またはそれと関連付けられてもよい。一実施形態では、各タグは、場所情報を含む、ウェブページへのＵＲＬを含む。
【００５９】
図７は、自動的に、ソーシャルネットワーキングサーバ７１０をアップデートするための一例示的無線システム７００を示す。システム７００は、少なくとも１つの無線タグ７１２および無線サーバ７０８を含む。無線サーバ７０８は、ネットワーク７２０に接続され、それを介してアクセス可能である。ソーシャルネットワークサーバ７１０は、例えば、ユーザおよび他者による入力に応じて、ユーザのステータスを提供する、Ｆａｃｅｂｏｏｋサーバである。例えば、ソーシャルネットワークサーバ７１０は、広告主の人気度を示す、広告主ページ７４０と、場所の人気度を提供する、場所７４２とを提供してもよい。ソーシャルネットワークサーバ７１０は、ネットワーク７２０に接続し、また、無線サーバ７０８と直接通信してもよい（例えば、ローカルネットワーク上に接続される）。一実施形態では、無線サーバ６０８およびソーシャルネットワークサーバ７１０の機能性は、単一サーバ内に共存および／または組み合わせられる。
【００６０】
無線タグ７１２は、施設７０６内に位置付けられ、来場者７０４によってアクセス可能である。図７の実施例では、タグ７１２は、表示７１４上に位置付けられ、タグ７１２の存在は、そこにおける来場者７０４に示されてもよい。一実施形態では、表示７１４は、広告主ページ７４０と関連付けられた宣伝広告であって、タグ７１２は、無線サーバ７０８によってホストされる無線ウェブページ７１６を識別するＵＲＬを含む、デジタルコンテンツ７１３を含む。ウェブページ７１６は、来場者７０４によって選択されると、来場者７０４が広告された製品を好むかどうかを示す、「いいね」ボタン７３４を含む。別の実施形態では、表示７１４は、場所７４２を識別し、タグ７１２のデジタルコンテンツ７１３は、無線ウェブページ７１６を識別する、ＵＲＬを含む。ウェブページ７１６は、来場者７０４が、自動的に、ソーシャルネットワークサーバ７１０内の場所７４２にチェックインすることを可能にする、「チェックイン」ボタン７３６を含有する。
【００６１】
来場者７０４は、ネットワーク能力を有するポータブルメディアデバイス７２２（例えば、無線インターネット接続および／または携帯電話キャリアと協働する、携帯電話またはタブレットデバイス）を有し、そこに非常に接近（例えば、約８インチ以内）するとき、タグ７１２を読み取るための無線リーダ７２４を含む。デバイス７２２はまた、ソーシャルネットワークサーバ７１０に関連する、来場者７０４のソーシャルネットワーク識別７３２を含む。動作の一実施例では、来場者７０４は、デバイス７２２をタグ７１２に非常に接近させ、それに応じて、デバイス７２２は、自動的に、ＵＲＬを含むデジタルコンテンツ７１３を無線タグ７１２から読み取り、自動的に、ＵＲＬに対応するウェブページ７１６に接続する。来場者７０４が、次いで、「いいね」ボタン７３４を選択（クリック）すると、来場者７０４のソーシャルネットワーク識別７３２が、ソーシャルネットワークサーバ７１０（随意に、無線サーバ７０８を介して）に、自動的に、来場者７０４が、広告された製品を無意識に好むような広告主ページ７４０の表示とともに送信される。一実施形態では、「いいね」ボタン７３４は、来場者７０４が、単に、ポータブルメディアデバイス７２２をタグ７１２に接近させることによって、表示７１４上の製品を「好み」得るように、自動的に選択される。
【００６２】
動作の別の実施例では、来場者７０４は、デバイス７２２をタグ７１２に接近させ、自動的に、表示７１４と関連付けられた場所に「チェックイン」し、それに応じて、無線サーバ７０８は、自動的に、来場者７０４のソーシャルネットワーク識別７３２をデバイス７２２から受信し、来場者７０４の場所７４２への「チェックイン」を伝える。
【００６３】
無線タグ７１２は、表示等の静的アイテムに取着されてもよく、または施設を移動する人々のための可動性デバイスに取着されてもよい。施設７０６がスキー場である、一実施例では、タグ７１２は、行楽地におけるスキーリフトのイス上に搭載され、表示７１４は、イスの制止バー上に搭載され、マップ、行楽地情報、および有料宣伝広告を含んでもよい。施設７０６がスキー場である、別の実施例では、表示７１４は、行楽地におけるゴンドラリフトの客室またはシャトルバス内に搭載される。施設７０６が遊園地である、別の実施例では、タグ７１２は、乗り物内に着席している来場者７０４の手の届く所に搭載される。別の実施例では、施設７０６は、スポーツスタジアムを表し、タグ７１２は、スタジアム内に着席している来場者７０４の手の届く所に搭載される。
【００６４】
一実施形態では、システム７００の無線サーバ７０８、表示７１４、および無線タグ７１２の機能性は、金銭的報酬に対して、施設７０６に提供される。表示７１４および無線タグ７１２は、第１の料金に対して、施設７０６に提供される。広告主ページ７４０の「いいね」の度に、付加的料金をページ７４０の所有者に生み出す。ソーシャルメディア参加に関する情報および／または来場者７０４の連絡先情報等のポータブルメディアデバイス７２２からアップロードされた情報、ならびにポータブルメディアデバイス７２２が無線タグ７１２にアクセスした回数および時間を集計した統計もまた、本明細書では、利用情報と称され得る。
【００６５】
図８は、施設８０６における来場者８０４の写真８０２をアップロードするための一例示的無線システム８００を示す。システム８００は、少なくとも１つの無線タグ８１２および無線サーバ８０８を含む。無線サーバ８０８は、ネットワーク８２０に接続され、それを介してアクセス可能である。施設サーバ８１０はまた、ネットワーク８２０に接続してもよく、また、無線サーバ８０８と直接通信してもよい（例えば、ローカルネットワーク上に接続される）。一実施形態では、無線サーバ８０８および施設サーバ８１０の機能性は、単一サーバ内に共存および／または組み合わせられる。
【００６６】
無線タグ８１２は、施設８０６内に位置付けられ、来場者８０４によってアクセス可能である。図８の実施例では、タグ８１２は、表示８１４上に位置付けられ、タグ８１２の存在は、来場者８０４に示されてもよい。表示８１４は、施設情報を提供してもよく、有料宣伝広告を表してもよく、施設８０６と関連付けられた広告を表してもよく、他の情報を含有してもよい。表示８１４は、タグ８１２を使用するための指示を含んでもよく、タグ８１２の存在および場所を来場者８０４に示してもよい。
【００６７】
図８の実施例では、タグ８１２は、無線サーバ８０８によってホストされるウェブページ８１６を識別する少なくとも１つのＵＲＬを含む、デジタルコンテンツ８１３と、施設８０６内のタグ８１２の場所を識別する、場所ＩＤ８１５とを含む。ウェブページ８１６は、写真８０２を施設サーバ８１０の写真データベース８１８にアップロードするためのアップロードスクリプト８１７を含んでもよい。
【００６８】
来場者８０４は、ネットワーク能力を有するポータブルメディアデバイス８２２（例えば、無線インターネット接続および／または携帯電話キャリアと協働する、携帯電話またはタブレットデバイス）を有し、そこに非常に接近（例えば、約８インチ以内）するとき、タグ８１２を読み取るための無線リーダ８２４を含む。動作の一実施例では、来場者８０４は、デバイス８２２をタグ８１２に非常に接近させ、それに応じて、デバイス８２２は、自動的に、デジタルコンテンツ８１３および場所ＩＤ８１５を無線タグ８１２から読み取る。ポータブルメディアデバイス８２２は、自動的に、デジタルコンテンツ８１３内のＵＲＬに対応するウェブページ８１６に接続し、アップロードスクリプト８１７を実行し、写真８０２をデバイス８２２から写真データベース８１８に転送し、場所ＩＤ８１５に基づいて、それと場所を関連付ける。
【００６９】
無線タグ８１２は、表示等の静的アイテムに取着されてもよく、または施設を移動する人々のための可動性デバイスに取着されてもよい。施設８０６がスキー場である、一実施例では、タグ８１２は、行楽地におけるスキーリフトのイス上に搭載され、表示８１４は、イスの制止バー上に搭載され、マップ、行楽地情報、および有料宣伝広告を含んでもよい。施設８０６がスキー場である、別の実施例では、表示８１４は、行楽地におけるゴンドラリフトの客室またはシャトルバス内に搭載される。施設８０６が遊園地である、別の実施例では、タグ８１２は、乗り物内に着席している間、来場者８０４の手の届く所に搭載される。別の実施例では、施設８０６は、スポーツスタジアムを表し、タグ８１２は、スタジアム内に着席している間、来場者８０４の手の届く所に搭載される。
【００７０】
図９は、スキーのリフト用のイス９００上に取り付けられる、メディア表示システム９０２を図示する。イス９００は、ケーブル９１０から懸架され、「下方」位置に示される、制止バー９２０を有する。図９では、前向き（Ｆ）および後向き（Ｒ）方向は、短い破線矢印によって示され、上向きに（Ｕ）および下向きに（Ｄ）方向は、イス９００を懸架する、ポール９３０とほぼ平行である、より長い破線矢印によって示される。制止バー９２０はまた、１つ以上の枢軸９４０を中心として、矢印９５０の方向に回転させることによって、「上方」位置をとり得る。イス９００の乗客は、典型的には、制止バー９２０が「上方」位置にある状態でイスに乗り込み、イス９００が乗客を地上から持ち上げると、乗客は、制止バー９２０を示される「下方」位置に引き下げる。イス９００および制止バー９２０は、その範囲から逸脱することなく、図９に示される構成と比較して、異なる形態をとってもよく、または相互に異なって搭載してもよいことを理解されたい。メディア表示システム９０２は、イス９００の乗客（すなわち、施設の来場者）が、移送の間、タグ９１２を利用することを可能にするように、その上に位置付けられた例示的タグ９１２（１）、９１２（２）、および９１２（３）とともに示される。タグ９１２（１）および９１２（３）は、メディア表示システム９０２の広告表示内に位置付けられ、タグ９１２（２）は、メディア表示システム９０２のマップ表示内に位置付けられる。メディア表示システム９０２は、それぞれ、図１、３、４、５、６、７、および８のシステム１００、３００、４００、５００、６００、７００、および８００のうちの任意の１つ以上と併用されてもよい。
【００７１】
図１０は、施設の来場者１００４を追跡するための一例示的無線システム１０００を示す。図１０の実施例では、第１の無線タグ１０１２（１）は、巡回エリア１０６０と巡回されないエリア１０６２との間の遷移場所１０６４に位置する。随意に、第２の無線タグ１０１２（２）は、非巡回エリア１０６２の出口場所１０６６に位置する。巡回エリア１０６０は、スキー場の巡回隊によって定期的に巡回される、スキー場の手入れされた斜面を表してもよく、非巡回エリア１０６２は、スキー場の巡回隊によって巡回されない、スキー場のゲレンデ外エリアを表してもよい。別の実施例では、巡回エリア１０６０は、登山口を表し、非巡回エリア１０６２は、その登山口から通じる１つ以上の登山エリアを表す。
【００７２】
無線サーバ１００８は、ロギングスクリプト１０１７を含む、ウェブページ１０１６とともに構成される。無線サーバ１００８はまた、スクリプト１０１７によってロギングされる情報を記憶するためのデータベース１０１８を含む。
【００７３】
各タグ１０１２は、タグ１１２に類似し、ウェブページ１０１６を識別するＵＲＬとともにプログラムされる。
【００７４】
来場者１００４は、ネットワーク１０２０にアクセスする（例えば、ＷｉＦｉまたはモバイルキャリアを介して）ための能力を有する、ポータブルメディアデバイス１０２２を有し、無線リーダ１０２４を含む（または、それと連有する）。デバイス１０２２はまた、来場者１００４を識別する、識別情報１０５２を含む。識別情報（ＩＤ）１０５２は、例えば、デバイス１０２２の携帯電話番号、あるいは来場者１００４が、連絡される、および／または追跡されることを可能にする、情報を識別するその他である。
【００７５】
動作の一実施例では、来場者１００４は、場所１０６４における巡回エリア１０６０から非巡回エリア１０６２に通過するとき、デバイス１０２２を使用して、タグ１０１２（１）を読み取る。デバイス１０２２は、無線リーダ１０２４を使用して、ＵＲＬをタグ１０１２（１）から読み取り、次いで、ネットワーク１０２０を介して、ＵＲＬに対応する無線ウェブページ１０１６にアクセスする。スクリプト１０１７は、デバイス１０２２を介して、来場者１００４と相互作用し、ＩＤ１０５２をデバイス１０２２から受信する。無線サーバ１００８は、ＩＤ１０５２を、データベース１０１８内に、現在のチェックイン時間１０５４とともに記憶する。
【００７６】
来場者１００４は、次いで、場所１０６６における非巡回エリア１０６２を通過し、巡回エリア１０６０に戻り、そこで、デバイス１０２２は、ＵＲＬをタグ１０１２（２）から読み取るために使用される。デバイス１０２２は、次いで、無線ウェブページ１０１６にアクセスし、そこで、ロギングスクリプト１０１７が、チェックアウト時間１０５６をデータベース１０１８に記録する。
【００７７】
データベース１０１８は、１日の終わりに、自動的に、検索され、チェックインしたが、チェックアウトしていない、来場者を識別してもよい。連絡の試みは、識別された来場者に伝えられてもよく、識別された来場者が非巡回エリア１０６２を出たことが判定されない場合、救助隊１０７０が、行方不明来場者の捜索のために出動されてもよい。救助隊１０７０はまた、ポータブルメディアデバイス１０４２を利用して、来場者の救助を促進し得る、データベース１０１８の付加的情報にアクセスしてもよい。一実施例では、ＩＤ１０５２は、捜索および救助を促進し得る、来場者１００４の旅程および能力に関する付加的情報を提供する、付加的データベース内で来場者１００４を識別する。
【００７８】
図１１は、プロセッサ１１０２と、短距離無線インターフェース１１０４と、電力貯蔵デバイス１１０６と、宣伝広告情報１１２０、ビデオクリップ１１２２、オーディオクリップ１１２４、およびクーポン１１２６のうちの１つ以上を記憶し得る、メモリ１１０８とを伴う、一例示的高度短距離無線タグ１１００を示す。電力貯蔵デバイス１１０６は、例えば、バッテリまたはキャパシタであってもよく、電力をプロセッサ１１０２、インターフェース１１０４、およびメモリ１１０８に提供する。プロセッサ１１０２およびインターフェース１１０４は、ＮＦＣプロトコルまたはＢｌｕｅｔｏｏｔｈ（登録商標）プロトコルを実装してもよい。一実施例では、プロセッサ１１０２およびインターフェース１１０４は、Ｂｌｕｅｔｏｏｔｈ（登録商標）  ４．０能力を伴うチップセットとして実装される。プロセッサ１１０２およびインターフェース１１０４は、その範囲から逸脱することなく、他の無線プロトコルを実装してもよい。タグ１１００は、それによって、例えば、受動的ＮＦＣタグと比較して、より高速の通信プロトコルを実装し、より大量の情報を通信し得る、能動的タグを形成する。
【００７９】
随意に、電力貯蔵デバイス１１０６は、再充電可能バッテリであって、タグ１１００はさらに、エネルギーを１つ以上の周囲エネルギー源（例えば、太陽、電波、地熱）から発電し、電力貯蔵デバイス１１０６に充電し、および／または直接、プロセッサ１１０２、インターフェース１１０４、およびメモリ１１０８に給電する、エネルギー発電機１１３０を含む。インターフェース１１０４は、例えば、Ｂｌｕｅｔｏｏｔｈ（登録商標）能力を有するポータブル通信デバイスと通信するためのＢｌｕｅｔｏｏｔｈ（登録商標）インターフェースであって、広告情報１１２０、ビデオ１１２２、オーディオ１１２４、およびクーポン１１２６のうちの１つ以上は、ポータブル通信デバイスに転送されてもよい。
【００８０】
タグ１１００が、Ｂｌｕｅｔｏｏｔｈ（登録商標）  ４．０プロトコルをサポートする場合、タグ１１００は、有利には、低電力である一方、ＮＦＣタグのものを上回る記憶および転送能力を提供する。さらに、Ａｐｐｌｅ  ｉＰｈｏｎｅ  ４Ｓ等のポータブル通信デバイス内に既に組み込まれている、Ｂｌｕｅｔｏｏｔｈ（登録商標）  ４．０は、以前のバージョンのＢｌｕｅｔｏｏｔｈ（登録商標）のようなペアリングの煩わしさを伴わずに、他のデバイス（例えば、タグ）と通信し得る。したがって、タグ１１００は、従来のＮＦＣタグに類似するが、硬度な方法で動作し得る。
【００８１】
図１２は、例えば、ビデオ１２１２および／またはオーディオ１２１４等の一括宣伝広告材料をポータブル通信デバイス１２２０に提供するための一例示的システム１２００を示す。システム１２００は、プロトコルデータ１２０４を記憶する、無線タグ１２０２と、ビデオ１２１２および／またはオーディオ１２１４を記憶する、代替無線タグ１２１０とを含む。プロトコルデータ１２０４は、無線タグ１２１０と通信するために、ポータブル通信デバイス１２２０の代替無線インターフェース１２２４を構成するためのパラメータを定義する。タグ１２０２および１２１０は、例えば、相互に近接して位置付けられる。
【００８２】
動作の一実施例では、デバイス１２２０は、デバイス１２２０の無線リーダ１２２２が、プロトコルデータ１２０４をタグ１２０２から読み取るように、無線タグ１２０２に接近して位置付けられる。デバイス１２２０は、次いで、無線タグ１２１０（例えば、Ｂｌｕｅｔｏｏｔｈ（登録商標）に基づくタグ）と通信するための代替無線インターフェース１２２４（例えば、Ｂｌｕｅｔｏｏｔｈ（登録商標）インターフェース）を構成する。デバイス１２２０は、次いで、無線タグ１２０２と通信するときに可能となるであろうものより高速のタグ１２１０によってサポートされる転送率において、ビデオ１２１２および／またはオーディオ１２１４（または、タグ１２１０内に記憶される他の情報）を転送してもよい。
【００８３】
タグ１２１０のコンテンツ（例えば、ビデオ１２１２および／またはオーディオ１２１４）は、互換性無線インターフェース（例えば、Ｂｌｕｅｔｏｏｔｈ（登録商標））を含むプログラミングデバイスを使用して、アップデートされてもよい。
【００８４】
タグからの収益の発生
図１３は、施設のための無線タグ通信アプリケーションを取り付け、運用する際に関与し得る、事業体間の典型的ビジネス関係を図示する。図１３では、関与するビジネス事業体は、ボックスとして描写される一方、矢印は、物理的商品、情報、または収益の移動を描写する。収益転送の事例は全て、＄で示される。
【００８５】
宣伝広告またはメディア露出が、そのようなアプリケーションにおける典型的商業価値源であるため、広告主１３０２が、典型的には、関与する。施設経営者１３０４は、典型的には、少なくとも、承認１３２０を広告主１３０２に提供し、施設によって許可される物理的取付のタイプおよび宣伝広告の種類を制御するために関与する。施設経営者１３０４は、収益を広告主から受領してもよい。ある実施形態では、施設経営者は、単に、施設自体に関連する情報を提供するため等、その独自の利益のために、無線タグアプリケーションを取り付け、運用することを所望してもよい。これらの実施形態では、本明細書に説明される、広告主１３０２によって行なわれる、収益のやりとりを含む、全アクティビティは、本明細書では、施設経営者１３０４によって行なわれると見なされる。
【００８６】
無線タグは、典型的には、無線タグ取付者１３０６によって、施設内に取り付けられ、無線タグによって提供されるＵＲＬを通してアクセス可能なウェブサイトを含む、ウェブコンテンツは、情報技術（ＩＴ）プロバイダ１３０８によって提供および維持される。ある実施形態では、本明細書では、無線メディアプロバイダ１３１０として示される、単一企業が、無線タグの取付およびウェブコンテンツの提供の両方を担当してもよく、これらの実施形態では、無線タグ取付者１３０６またはＩＴプロバイダ１３０８のいずれかが関与する、収益のやりとりを含む、全アクティビティは、本明細書では、無線メディアプロバイダ１３１０によって行なわれると見なされる。
【００８７】
無線タグ通信アプリケーションを設定するために、無線タグ１３２５が、典型的には、無線タグ取付者１３０６によって、無線タグ製造業者または販売業者から購入される。無線タグ取付者１３０６は、典型的には、双方が満足するように、取付仕様１３３０について、施設経営者１３０４とやりとりする。例えば、施設経営者１３０４は、施設の役に立つために要求される、無線タグ取付の数およびタイプ（例えば、乗り物、チェアリフト、ゴンドラ等の可動座席を含む、座席）を伝達してもよく、無線タグ取付者１３０６に美観または安全上の制約を課してもよい。取付者１３０６は、その通常の取付に標準的である、または取り付けられた無線タグを適切に機能させるために要求される仕様を提案してもよい。
【００８８】
広告主１３０２およびＩＴプロバイダ１３０８は、典型的には、情報１３３５をやりとりし、少なくとも部分的に、無線タグ１３２５を通してアドレス指定可能であろう、ウェブサイトの数、タイプ、コンテンツ、および機能性を指定する。情報１３３５はまた、取付仕様１３３０に従って、前述のように、ウェブサイトアドレス指定能力を施設における無線タグの数と調整することが所望されるとき、無線タグ取付者１３０６にも関与し得る。例えば、具体的座席の区画、テーブル、またはチェアリフト等の施設内の具体的設備と相互作用する、ポータブルメディアデバイスを識別することが、それと同時に、具体的情報がそれと関連付けられた無線タグから伝送されるために要求され得る。施設経営者１３０４はまた、情報１３３７をＩＴプロバイダ１３０８に提供し、さらに、無線タグ１３２５を通してアドレス指定可能であろうウェブサイトの数、タイプ、コンテンツ、および機能性を指定してもよい。情報１３３７は、施設の具体的特徴に関するアップデート、短期ベースでのみ利用可能な提案、屋外施設のための天気予報、雪の条件等の時間依存的情報を含んでもよい。
【００８９】
ウェブサイトにアクセスすることができる、ウェブサイトおよびＵＲＬが定義されると、ＩＴプロバイダ１３０８は、無線タグ上にデジタル形態で提供されることになるＵＲＬまたは他のデジタルコンテンツ１３４０を無線タグ取付者１３０６に提供する。（ある実施形態では、ＵＲＬまたは他のデジタルコンテンツ１３４０は、情報１３４０とともに事前にプログラムまたは構成された無線タグ１３２５を提供する、無線タグ製造業者または販売業者１３１２に戻される。）所与の取付のために要求されるＵＲＬまたは他のデジタル情報とともに構成される、無線タグは、無線タグ１３４５として示される。タグ取付者１３０６が、無線タグ１３４５を入手し、取付仕様１３３０について施設経営者１３０４とまとまると、タグ取付者は、無線タグ１３４５を施設内に取り付け、収益を受領する（直接、広告主１３０２から、または間接的に、無線メディアプロバイダ１３１０の一部としてのいいずれか）。無線タグ１３４５の取付は、最初に、タグ１３４５と他の構造を統合し、次いで、他の構造を施設内に取り付けることを含んでもよい。例えば、タグ１３４５は、最初に、映画館またはスタジアム等の個々の座席を含む施設に取り付けるために、肘掛けまたは背もたれと統合されてもよい。代替として、タグ１３４５は、最初に、テーブル、ボーリング場のスコア台、あるいはスキーエリアマップ、安全情報、および／または宣伝広告を含み、チェアリフトまたはゴンドラ上に搭載される、メディア表示システム等の施設において役立つ小集合物に特定のアイテムと統合されてもよい。
【００９０】
運営時、ＩＴプロバイダ１３０８は、最初に、そのポータブルメディアデバイス１３５５を無線タグ１３４５と相互作用させることによって、情報にアクセスする、施設来場者１３５０へおよび／またはそこから、ネットワーク１３７０を通して、情報サービスを提供する。提供される情報サービスのタイプは、トランザクションの観点から、本明細書のいずれかにおいて説明されているが、ここでは、２つの技術選択肢に着目されたい。情報１３６０は、ＩＴプロバイダ１３０８からポータブルメディアデバイス１３５５にダウンロードされる一方、情報１３６５は、デバイス１３５５からＩＴプロバイダ１３０８にアップロードされる。ダウンロードされる情報１３６０は、例えば、来場者の識別が、広告主１３０２または施設経営者１３０４に既知でない場合でも、広告主１３０２および／または施設経営者１３０４が、来場者１３５０に提供する価値を見出す、ウェブベースのコンテンツを含んでもよい。そのような情報は、宣伝広告、施設に関する恒久的またはアップデートされた情報、割引および無料サンプル、ソーシャルメディアへの参加資格等を提供する等、前述の様態の多くをサポートし得る。標的宣伝広告、「いいね」および「チェックイン」特徴、および要件規約の来場者許可または承諾のための要件を提供する等の他の様態も、双方向情報転送によって有効にされてもよい。そのような場合、ポータブルメディアデバイス１３５５は、情報１３６０をＩＴプロバイダ１３０８からダウンロードし、ＩＴプロバイダ１３０８は、情報１３６５をデバイス１３５５から逆受信する。
【００９１】
ＩＴプロバイダ１３０８は、利用情報１３７５を広告主１３０２に、随意に、施設経営者１３０４に逆提供してもよい。利用情報１３７５は、例えば、ポータブルメディアデバイス１３５５が、無線タグ１３４５を通して、連絡先をＩＴプロバイダ１３０８に提供した回数（および、連絡先を伝えるために使用された具体的無線タグ１３４５）、故に、情報１３６０がダウンロードされた回数に関する統計を含んでもよい。そのような統計は、広告主１３０２および／または施設経営者１３０４によってＩＴプロバイダ１３０８または無線メディアプロバイダ１３１０に提供される対価の基準として利用されてもよい。利用情報１３７５はまた、双方向情報転送を通して、ポータブルメディアデバイス１３５５からアップロードされる情報１３６５、および／または情報１３６５に関する統計を含んでもよい。そのような統計および／または情報はまた、広告主１３０２および／または施設経営者１３０４によってＩＴプロバイダ１３０８または無線メディアプロバイダ１３１０に提供される対価の基準として利用されてもよい。
【００９２】
一ビジネス実施例では、図１の施設１０６は、ポスター１１４を無線タグ１１２とともに提供および表示するために、メディア企業に支払い、タグ１１２は、施設１０６のサーバ（例えば、施設サーバ１１０）のウェブページへのＵＲＬを含む、デジタルコンテンツ１１３とともにプログラムされる。
【００９３】
さらなるビジネスモデルでは、メディア企業は、付加的費用で、デジタルコンテンツ１１３と関連する宣伝広告および／または情報１０２を提供する、無線サーバ１０８の使用を提供する。そのような費用は、または徴収される付加的料金は、タグ１１２が、デバイス（例えば、デバイス１２２）によって読み取られた結果として、サーバがアクセスされた回数に基づいてもよい。メディア企業はまた、サーバによって提供されるウェブページのコンテンツの管理費を請求してもよい。
【００９４】
施設情報を施設来場者に提供するための料金をさらに請求するために、メディア企業はまた、有料宣伝広告を提供してもよく、その場合、広告主は、付加的料金をメディア企業に支払い、無線タグをポスター表示に組み込ませる。メディア企業はまた、来場者が料金と関連付けられたＵＲＬにアクセスする度に、広告主に、付加的料金を請求してもよい。随意に、無線タグが、読み取られた回数を記録する場合、メディア企業は、本数に基づいて、料金を請求してもよい。
【００９５】
メディア企業が、タグ内のＵＲＬと関連付けられたウェブページにアクセスする来場者から付加的情報を収集する場合、その付加的情報は、広告主に販売されてもよく、または広告主は、その情報にアクセスするために請求されてもよい。
【００９６】
代替ビジネスモデルでは、メディア企業は、最初は、宣伝広告を表示するために請求せず、来場者が、タグ内のＵＲＬと関連付けられたウェブサイトにアクセスする度に、広告主に請求し、各生成された見込客リストに対する手数料、販売された各製品の手数料、または来場者が個人データを広告主に提出する場合の料金を受領する。
【００９７】
タグが、ソーシャルメディアネットワークにリンクされる場合、メディア企業は、「チェックイン」または「いいね」が、タグとの相互作用を通して、来場者によって生成される度に、請求してもよい。タグが、直接、表示されるデジタルコンテンツを通して、ブランドを宣伝する、またはブランドの宣伝にリンクする、ＵＲＬを含む場合、メディア企業は、来場者に、デジタルコンテンツが表示される、あるいは来場者が、ＵＲＬにアクセスすることによって、ウェブページにアクセスする、または宣伝ページに入る度に、料金を請求してもよい。
【００９８】
タグと関連付けられた宣伝広告が、不動産に対するものである場合、見込客リストが、来場者がタグにアクセスするときに生成される度に、リストとして、不動産業者に販売されてもよい。
【００９９】
タグが、製品のサンプルを提案する宣伝広告と関連付けられる場合、消費者情報が、タグの関連付けられたＵＲＬを通してアクセスされるウェブページを使用して収集され、料金に対して、広告主に自動転送されてもよい。例えば、消費者商品（例えば、日焼け止め剤）のサンプルを受領することに関心がある来場者は、タグを読み取り、その配達アドレスを入力するウェブページにアクセスする。サーバは、アドレスを日焼け止め剤のサンプルを来場者に送信する広告主に送信し、メディア企業は、タグの結果として、サンプルが広告主によって送信される度に、料金を受領する。
【０１００】
図１４は、自動的に、ポータブル通信デバイス１４１２を、ネットワーク１４５０を介して、施設１４０２に位置する来場者のみに利用可能である、施設ウェブページ１４２２に接続するように命令するための一例示的システム１４００を示し、ここでは、特に、来場者は、施設無線リーダ１４０４において、そのポータブルメディアデバイス１４１２および電子チケット１４１６を使用してチェックインしている。
【０１０１】
例えば、施設ウェブページ１４２２は、来場者１４１０が、施設１４０２（または、例えば、施設で演奏するバンド）に関連するメディアおよび製品を購入する（例えば、発送またはダウンロードのため）ことを可能にする、あるいは来場者１４１０が、施設１４０２にいる間、無料メディアをダウンロードすることを可能にし得る、ボタン１４２４、１４２６を含有してもよい。施設ウェブページ１４２２は、例えば、施設１４０２外の人々に対してアクセス不可能にしてもよい。
【０１０２】
一実施形態では、施設ウェブページ１４２２は、来場者１４１０によってクリックされると、自動的に、メディアファイルをポータブルメディアデバイス１４１２上にダウンロードする、無料メディアダウンロードボタン１４２８を含有する。別の実施形態では、施設ウェブページ１４２２は、来場者１４１０によってクリックされると、自動的に、デバイス１４１２から支払を行い、関連付けられたメディアをデバイス１４１２にダウンロードする、メディア注文ボタン１４２８を含有する。別の実施形態では、施設ウェブページ１４２２は、来場者１４１０によってクリックされると、関連付けられた製品を発注する、製品注文ボタン１４２６を含有する。
【０１０３】
具体的には、施設サーバ１４２０は、メディアおよび製品、または施設１４０２に来場している来場者に対して、施設１４０２に来場していない人々には利用不可能である、異なる品（例えば、割引品）を提案してもよい。別の実施形態では、施設ウェブページ１４２２は、来場者１４１０によって選択されると、デバイス１４１２のブラウザを、施設１４０２外の人々には利用不可能である、付加的提案および情報にリダイレクトする、施設１４０２の時間および場所に特有の宣伝リンク１４３０を表示する。
【０１０４】
一実施形態では、無線タグ（例えば、図１１のタグ１１００）は、新しく発売された（または、発売予定の）歌の音楽サンプル、映画の予告編、ＴＶ番組の予告編等を含有し、ユーザは、音楽、予告編等をポータブルメディアデバイスに、直接、無線タグから、または無線タグによって識別されたウェブサイトを介して、ダウンロードしてもよい。
【０１０５】
ポータブルメディアデバイス（例えば、携帯電話）が、無線能力（例えば、ＮＦＣ能力、またはＢｌｕｅｔｏｏｔｈ（登録商標）  ４．０等の他の無線技術）を含む、別の実施例では、ポータブルメディアデバイスに、施設へのデバイスの入場に応じて、無線リーダによって認証される電子チケットがロードされてもよい。ユーザが入場するにつれて、デバイスは、入口における無線リーダによって、施設で演奏するアーティストのメディアを販売するウェブサイトにダイレクトされてもよい。代替として、デバイスに、クーポン、宣伝材料、無料の歌、無料画像等のうちの１つ以上がロードされてもよい。
【０１０６】
来場者のポータブルメディアデバイスが、無線能力を含み、施設における無線タグによって提供されるＵＲＬを通して、ウェブページにアクセスする、さらに別の実施例では、ポータブルメディアデバイスは、所与の日時において、施設に存在していたことが登録されてもよい。ポータブルメディアデバイスの登録は、デジタルクーポンをポータブルメディアデバイスにダウンロードするウェブページによって、あるいは来場者またはポータブルメディアデバイスの情報を受信し、情報をデータベースに記憶するウェブページによって、確立されてもよい。その後、ポータブルメディアデバイスおよび／または来場者は、具体的日時における施設での来場者の存在に基づいて、商品の特価提供、メディアダウンロード、ロイヤルティプログラム、またはソーシャルメディア参加の資格があると見なされ得る。本特徴は、「Ｙｏｕ  Ｗｅｒｅ  Ｔｈｅｒｅ！」機能性を有効にすると見なされ得、イベント後であっても、来場者は、特価提供、参加、またはダウンロードの資格がある。「Ｙｏｕ  Ｗｅｒｅ  Ｔｈｅｒｅ！」機能性は、特に、何らかの予期されないまたは注目に値することが、その日時に生じたため、来場者が来場した時間に存在し得ないが、後に生成され得る、提案を有効にするために有用であり得る。例えば、以下である。
【０１０７】
●コンサートが、可能性として、別のアーティストの予期せぬ出現があったことにより、売り出し中のアーティストによる躍進的公演として有名になったため、またはアーティストの最後の公演となったため、注目を集めるようになることが考えられ得る。そのコンサートにいた来場者は、オーディオまたはビデオ記録またはコンサートに関連する他の記念商品を入手するための将来的提案を受け得る、あるいはコンサートにいたことが証明されている者として、ソーシャルメディアへの参加資格があると見なされ得る。
【０１０８】
●屋外施設来場者が、施設が天候不良またはある他の不利な自然事象を被ったことに対する補償として、商品あるいは割引または無料チケットの将来的提案を受け得る。
【０１０９】
●屋内施設来場者が、施設が安全上の問題または停電を被ったことに対する補償として、商品あるいは割引または無料チケットの将来的提案を受け得る。
【０１１０】
本明細書の範囲から逸脱することなく、変更が、前述の方法およびシステムに行なわれてもよい。したがって、前述の説明に含有される、または付随の図面に示される事柄は、限定的意味ではなく、例証的として解釈されるべきであることに留意されたい。以下の請求項は、本明細書に記述される全ての一般的かつ具体的特徴と、文言上、その間に収まる可能性のある、本方法およびシステムの範囲の全記載とを網羅することを意図する。特に、以下の実施形態は、具体的に、想定され、かつ相互に互換性がある、そのような実施形態の任意の組み合わせも想定される。
【０１１１】
Ａ．施設において、情報を来場者に配信するためのシステムであって、施設内に位置し、その中に記憶されるユニバーサルリソースロケータ（ＵＲＬ）を有する、無線タグをと、ＵＲＬによってアドレス指定可能なウェブページを提供し、情報を含有するためのサーバとを含み、ウェブページは、情報を無線タグとインターフェースをとる、来場者によって使用される、任意のポータブルメディアデバイスに表示する、システム。
【０１１２】
Ｂ．無線タグは、ＮＦＣタグである、実施形態Ａに記載のシステム。
【０１１３】
Ｃ．無線タグは、施設内の可動性デバイスに取着される、実施形態ＡまたはＢに記載のシステム。
【０１１４】
Ｄ．可動性デバイスは、チェアリフトのイスである、実施形態ＡからＣのいずれかに記載のシステム。
【０１１５】
Ｅ．無線タグは、無線タグは、チェアリフトに取着されたスキーエリアマップ表示と統合される、実施形態ＡからＤのいずれかに記載のシステム。
【０１１６】
Ｆ．可動性デバイスは、ゴンドラの客室である、実施形態ＡからＣのいずれかに記載のシステム。
【０１１７】
Ｇ．情報は、可動性デバイスの使用と関連付けられた安全性情報のオーディオ、ビデオ、グラフィック、およびテキスト提示のうちの１つ以上を含む、実施形態ＡからＣのいずれかに記載のシステム。
【０１１８】
Ｈ．サーバは、宣伝広告を記憶する宣伝広告データベースと通信し、宣伝広告は、ウェブページ内に含まれ、来場者に配信される、実施形態ＡからＧのいずれかに記載のシステム。
【０１１９】
Ｉ．情報は、調査情報を含み、ウェブページは、調査情報を来場者に提供し、来場者の応答をサーバにアップロードする、実施形態ＡからＨのいずれかに記載のシステム。
【０１２０】
Ｊ．ＵＲＬによってアドレス指定可能なウェブページは、宣伝広告を含む、実施形態ＡからＩのいずれかに記載のシステム。
【０１２１】
Ｋ．ウェブページは、ポータブルメディアデバイス上に記憶されることができ、かつ施設内で使用されることができる、クーポンを含む、実施形態ＡからＪのいずれかに記載のシステム。
【０１２２】
Ｌ．ウェブページは、競技会の告知と、（ａ）競技会の規約、および（ｂ）規約への合意を示す特徴へのリンクとを含有し、来場者が、規約への合意を示す特徴をアクティブ化する場合、ポータブルメディアデバイスは、競技会の情報を含有する、競技会ウェブページにリダイレクトされる、実施形態ＡからＫのいずれかに記載のシステム。
【０１２３】
Ｍ．規約への来場者の合意に応じて、ウェブページは、来場者の情報をポータブルメディアデバイスから読み出し、情報を第三者に提供する、実施形態ＡからＬのいずれかに記載のシステム。
【０１２４】
Ｎ．ウェブページは、調査の告知および調査ウェブページへのリンクを含有し、来場者が、リンクを辿る場合、ポータブルメディアデバイスは、調査ウェブページにリダイレクトされる、実施形態ＡからＭのいずれかに記載のシステム。
【０１２５】
Ｏ．ウェブページは、ソーシャルネットワーキングウェブページへの選択可能リンクを含有し、来場者のポータブルメディアデバイスは、ＵＲＬを無線タグから受信し、自動的に、ウェブページに接続し、選択可能リンクを表示し、来場者による選択可能リンクの選択に応じて、サーバは、選択可能リンクの情報をソーシャルネットワーキングサーバに送信する、ＡからＮのいずれかに記載のシステム実施形態。
【０１２６】
Ｐ．選択可能リンクは、無線タグに近接して位置する宣伝広告に対する来場者の「いいね」を伝える、実施形態ＡからＯのいずれかに記載のシステム。
【０１２７】
Ｑ．無線タグ内に、ソーシャルネットワーキングサーバによって定義される場所を識別する、場所識別子をさらに備え、選択可能リンクは、その場所における来場者の「チェックイン」を伝える、実施形態ＡからＰのいずれかに記載のシステム。
【０１２８】
Ｒ．ウェブページは、写真を来場者のポータブルメディアデバイスからアップロードするためのアップロードスクリプトを呼び出す、実施形態ＡからＱのいずれかに記載のシステム。
【０１２９】
Ｓ．施設において、施設の場所特有情報を来場者に配信するためのシステムであって、情報を含有し、来場者のポータブルメディアデバイスと互換性がある、施設アプリと、施設内に位置し、タグの場所と関連付けられた場所インジケータを有する、無線タグとを備え、施設アプリが、ポータブルメディアデバイス上に常駐し、ポータブルメディアデバイスが、場所インジケータを無線タグから受信すると、ポータブルメディアデバイスは、場所インジケータに基づいて、施設アプリを利用して、情報を表示する、システム。
【０１３０】
Ｔ．無線タグ内に記憶される、ユニバーサルリソースロケータ（ＵＲＬ）と、ＵＲＬによってアドレス指定可能なウェブページを提供し、施設のアップデートされた情報を含有するために、インターネットに接続される、サーバとをさらに備え、サーバは、アップデートされた情報とともに、ウェブページを無線タグとインターフェースをとる、任意のポータブルメディアデバイスにダウンロードする、実施形態Ｓに記載のシステム。
【０１３１】
Ｕ．無線タグは、チェアリフトのイスおよびゴンドラの客室のうちの１つに取着される、実施形態ＳまたはＴに記載のシステム。
【０１３２】
Ｖ．施設において、情報を来場者に配信するための方法であって、ウェブページを情報とともに構成するステップであって、ウェブページは、無線タグ内に記憶されるユニバーサルリソースロケータ（ＵＲＬ）によってアドレス指定可能である、ステップと、ポータブルメディアデバイスが、無線タグとインターフェースをとると、来場者のポータブルメディアデバイスから、ＵＲＬへのアクセス要求を受信するステップと、ウェブページをポータブルメディアデバイスに送信することによって、情報を来場者に配信するステップとを含む、方法。
【０１３３】
Ｗ．情報をサーバ上で起動するデータベースから読み出し、ウェブページを構成するステップをさらに含む、実施形態Ｖに記載の方法。
【０１３４】
Ｘ．利害関係者の連絡先情報を広告主に配信するための方法であって、利害関係者によってアクセス可能な場所において、広告主の宣伝広告をユニバーサルリソースロケータ（ＵＲＬ）とともにプログラムされる無線タグとともに表示するステップと、ＵＲＬによってアドレス指定可能なウェブページを、連絡先情報を受信するためのスクリプトとともに構成するステップと、ＵＲＬへのアクセス要求を無線タグとインターフェースをとる、ポータブルメディアデバイスから受信するステップと、スクリプトを使用して、連絡先情報をポータブルメディアデバイスから受信するステップと、収益と引き換えに、連絡先情報を広告主に送信するステップとを含む、方法。
【０１３５】
Ｙ．付加的収益と引き換えに、無線タグを宣伝広告上に設置するステップをさらに含む、実施形態Ｘに記載の方法。
【０１３６】
Ｚ．スクリプトを、ポータブルメディアデバイスを介して、利害関係者と相互作用し、付加的情報を受信するように構成するステップをさらに含む、実施形態ＸまたはＹに記載の方法。
【０１３７】
ＡＡ．施設において、施設の場所特有情報を来場者に配信するためのシステムであって、場所特有情報を含有し、来場者のポータブルメディアデバイスにダウンロードし、そこで起動するために利用可能である、施設アプリと、タグの場所と関連付けられた場所インジケータを有する、無線タグとを備え、ポータブルメディアデバイスが、施設アプリを起動し、場所インジケータをタグから受信する場合、施設アプリは、ポータブルメディアデバイスに、場所インジケータに基づいて、場所特有情報を表示させる、システム。
【０１３８】
ＢＢ．施設において、情報を来場者に配信するための方法であって、無線タグ内に記憶されたユニバーサルリソースロケータ（ＵＲＬ）によってアドレス指定可能なウェブページを、情報とともに構成するステップと、ＵＲＬをタグから読み取ったポータブルメディアデバイスからＵＲＬへのアクセス要求を受信するステップと、来場者への配信のために、ウェブページをポータブルメディアデバイスに送信するステップとを含む、方法。
【０１３９】
ＣＣ．施設に、無線タグに基づく通信能力を提供するための方法であって、複数の無線タグを施設に特有のデジタルコンテンツとともに構成するステップであって、無線タグはそれぞれ、デジタルコンテンツをポータブルメディアデバイスに伝送可能である、ステップと、無線タグを施設に取り付けるステップとを含む、方法。
【０１４０】
ＤＤ．構成ステップは、無線タグのそれぞれに、ユニバーサルリソースロケータ（ＵＲＬ）を提供するステップを含む、実施形態ＣＣに記載の方法。
【０１４１】
ＥＥ．無線タグのそれぞれに、ＵＲＬを提供するステップは、広告主からの宣伝広告コンテンツを含む、ウェブページのアドレスとして、ＵＲＬのうちの１つ以上を提供するステップを含む、実施形態ＣＣまたはＤＤに記載の方法。
【０１４２】
ＦＦ．無線タグを施設に取り付けるステップは、無線タグのうちの１つ以上を広告主からの１つ以上の印刷宣伝広告とともに位置させるステップを含む、実施形態ＣＣからＥＥのいずれかに記載の方法。
【０１４３】
ＧＧ．構成ステップは、無線タグ製造業者または販売業者が、無線タグを構成するように手配するステップを含む、実施形態ＣＣからＦＦのいずれかに記載の方法。
【０１４４】
ＨＨ．取り付けるステップは、無線タグのそれぞれを、座席、肘掛け、背もたれ、およびマップ表示のうちの１つである、構成要素と統合するステップと、構成要素を施設に取り付けるステップとを含む、実施形態ＣＣからＧＧのいずれかに記載の方法。
【０１４５】
ＩＩ．複数の無線タグを構成するステップは、複数の無線タグのそれぞれを施設内の場所識別子に対応するデジタルコンテンツとともに構成するステップを含む、実施形態ＣＣからＨＨのいずれかに記載の方法。
【０１４６】
ＪＪ．複数の無線タグを構成するステップは、複数の無線タグのサブセットの各無線タグを同一の場所識別子とともに構成するステップを含む、実施形態ＣＣからＩＩのいずれかに記載の方法。
【０１４７】
ＫＫ．複数の無線タグを構成するステップは、複数の無線タグのサブセットの各無線タグを異なる場所識別子とともに構成するステップを含む、実施形態ＣＣからＩＩのいずれかに記載の方法。
【０１４８】
ＬＬ．各無線タグを構成するステップは、各無線タグを可動性デバイスの個々の搬台に特有の場所識別子とともに構成するステップを含む、実施形態ＣＣからＫＫのいずれかに記載の方法。
【０１４９】
ＭＭ．各無線タグを場所識別子とともに構成するステップは、各無線タグを個々のチェアリフトのイスに特有の場所識別子とともに構成するステップを含み、取り付けるステップは、各無線タグと、チェアリフトを含むスキーエリアの印刷マップを含む、メディア表示システムを統合するステップと、メディア表示システムをイスの制止バー上に搭載するステップとを含む、実施形態ＣＣからＬＬのいずれかに記載の方法。
【０１５０】
ＮＮ．その中に取り付けられた無線タグを有する、施設の来場者に情報サービスを提供するための方法であって、サーバを、無線タグのうちの１つ以上の上に記憶されたデジタルコンテンツに対応する情報とともに構成するステップと、デジタルコンテンツを無線タグのうちの１つから受信する、ポータブルメディアデバイスからの要求の受信に応じて、情報をポータブルメディアデバイスにダウンロードするステップとを含む、方法。
【０１５１】
ＯＯ．サーバを構成するステップは、情報をウェブページとして構成するステップを含む、実施形態ＮＮに記載の方法。
【０１５２】
ＰＰ．サーバを構成するステップは、情報をビデオ、オーディオ、テキスト、および画像のうちの１つ以上として構成するステップを含む、実施形態ＮＮまたはＯＯに記載の方法。
【０１５３】
ＱＱ．サーバを構成するステップは、情報の少なくとも一部を施設の経営者から受信するステップを含む、実施形態ＮＮからＰＰのいずれかに記載の方法。
【０１５４】
ＲＲ．サーバを構成するステップは、情報を複数のユニバーサルリソースロケータ（ＵＲＬ）として構成するステップを含み、情報をダウンロードするステップは、要求内に含有される場所識別子に対応する、ＵＲＬのうちの１つとともに応答するステップを含む、実施形態ＮＮからＱＱのいずれかに記載の方法。
【０１５５】
ＳＳ．１つ以上のポータブルメディアデバイスから受信した要求、ポータブルメディアデバイスにダウンロードされる情報、およびポータブルメディアデバイスからアップロードされた情報のうちの少なくとも１つを含む、利用情報を生成するステップをさらに含む、実施形態ＮＮからＲＲのいずれかに記載の方法。
【０１５６】
ＴＴ．収益と引き換えに、利用情報を広告主に転送するステップをさらに含む、実施形態ＮＮからＳＳのいずれかに記載の方法。
【０１５７】
ＵＵ．施設経営者が、施設来場者の顧客経験を向上させるための方法であって、施設の情報をメディアプロバイダに提供するステップと、メディアプロバイダに、施設へのアクセスを許可し、施設内に、情報の物理的表示とともに、無線タグを取り付けるステップであって、無線タグは、来場者が、ポータブルメディアデバイスを通してアクセスし、さらなる情報を表示することができる、デジタルコンテンツを記憶する、ステップとを含む、方法。
【０１５８】
ＶＶ．アクセスと引き換えに、メディアプロバイダから収益を徴収するステップをさらに含む、実施形態ＵＵに記載の方法。
【０１５９】
ＷＷ．メディアプロバイダにアクセスを許可するステップは、メディアプロバイダが、施設の情報を無線タグと統合する、メディア表示システムを取り付けることを可能にするステップを含む、実施形態ＵＵまたはＶＶに記載の方法。
【０１６０】
ＸＸ．施設の情報を提供するステップは、施設のマップを提供するステップを含む、任意の実施形態ＵＵからＷＷに記載の方法。
【０１６１】
ＹＹ．メディアプロバイダに、施設へのアクセスを許可するステップは、メディアプロバイダが、施設のマップと無線タグを統合する、メディア表示システムをチェアリフトのイス上に取り付けることを可能にするステップを含む、任意の実施形態ＵＵからＸＸに記載の方法。
【０１６２】
ＺＺ．施設の情報を提供するステップは、無線タグの数を判定し、無線タグを構成する際に使用するために、施設における設備の数およびタイプに関する情報を提供するステップを含む、任意の実施形態ＵＵからＹＹに記載の方法。
【０１６３】
ＡＡＡ．さらなる情報として、来場者に提供されるように、施設のアップデートされた情報をメディアプロバイダに提供するステップをさらに含む、任意の実施形態ＵＵからＺＺに記載の方法。
【図９】
2015502595.tif 000003
【図１】
2015502595.tif 000004
【図２】
2015502595.tif 000005
【図３】
2015502595.tif 000006
【図４】
2015502595.tif 000007
【図５】
2015502595.tif 000008
【図６】
2015502595.tif 000009
【図７】
2015502595.tif 000010
【図８】
2015502595.tif 000011
【図１０】
2015502595.tif 000012
【図１１】
2015502595.tif 000013
【図１２】
2015502595.tif 000014
【図１３】
2015502595.tif 000015
【図１４】
2015502595.tif 000016
【国際調査報告】
2015502595.tif 000017